(57)【特許請求の範囲】
【請求項１】
二重床部材の上面に固定されたレール部材と、
前記レール部材のレール部の長さ方向に沿って移動可能であると共に、前記レール部から上方に離脱することがないように、前記レール部に係合された連結部材とを備え、
前記レール部材は、略同じ板厚の一枚の板部材を折り曲げて一体的に形成され、前記レール部の底板部と、前記底板部の幅方向両端部のそれぞれから上方に垂直に折り曲げられた２つの垂直板部と、前記垂直板部の上端部から前記底板部の幅方向内側に折り曲げて開口部の幅方向端部の位置まで伸びて形成された上側板部と、前記上側板部の前記開口部の幅方向端部の位置においてＵ字状に折れ曲がって前記上側板部の上に重なり、前記底板部の幅方向両端部のそれぞれより外側に伸びた平板部と、前記平板部の幅方向両端部の一方又は両方において下方に垂直に折り曲げられた側板部とを有する
ことを特徴とする二重床部材。
【請求項２】
前記レール部材の前記平板部の前記側板部の一方の側に前記平板部の厚さと同じ高さの段差分だけ上面が下方に沈み込んだ段差板部を有する
ことを特徴とする請求項１に記載の二重床部材。
【請求項３】
前記二重床部材は、フロアパネルであることを特徴とする請求項１又は２に記載の二重床部材。
【請求項４】
前記二重床部材は、架台であることを特徴とする請求項１又は２に記載の二重床部材。
【発明の詳細な説明】
【技術分野】
【０００１】
本発明は、データセンター等の部屋の床部に敷設されるフロアパネル、架台等の二重床部材に関するものである。
【背景技術】
【０００２】
近年、高度情報化社会の到来に伴ってサーバー等のＩＴ機器で多量のデータが取り扱われるようになり、多数のＩＴ機器をデータセンター、サーバールーム等に設置して一括管理することが多くなっている。
【０００３】
図６９〜図７１は、従来技術に係るデータセンター１を説明するために示す図である。図６９に示すように、データセンター１の部屋の床部には、二重床構造を備えたフリーアクセスフロア１２が形成され、複数のフロアパネル３がフリーアクセスフロア１２の床面を形成するように敷設されていた（例えば、特許文献１参照）。
【０００４】
図６９に示すように、フロアパネル３は、コンクリートの基礎床面５上に固定された支持脚８により所定の高さで水平に支持されて、データセンター１の部屋の床面を形成するように並べて敷設されていた。そして、フロアパネル３と、その下方の基礎床面５との間の空間に配管や配線を通すことができるようになっていた。
【０００５】
また、フロアパネル３の上面３ａには、脚部１０ａを有するサーバーラック１０が載置され、図７１に示すように、サーバーラック１０の底板部１０ｂには、その板厚方向（図７１中上下方向）に貫通する貫通孔１０ｃが形成されていた。
【０００６】
また、図７０に示すように、フロアパネル３の上面３ａには、その長さ方向に垂直な断面形状がＣ字型（図７１参照）のガイドレール４が固定されていた。そして、ガイドレール４のレール内には、図７１に示すように、ガイドレール４の長さ方向に沿って移動できるように形成されたナット部材７が配置されていた。
【０００７】
また、ナット部材７は、図７１中上方に引張られた場合に、ガイドレール４の上方に開口する開口部を通って、ガイドレール４内から上方に抜け出すことがないように形成されていた。
【０００８】
そして、図７１に示すように、固定ボルト６の頭部６ａの下面が、サーバーラック１０の底板部１０ｂの上面に接触して係合すると共に、固定ボルト６のオネジ部６ｂの先端部が、サーバーラック１０の貫通孔１０ｃ、及びガイドレール４の開口部を挿通して、ナット部材７に形成されたメネジ孔７ａにネジ締結していた。
【０００９】
このように、固定ボルト６の頭部６ａの下面が、サーバーラック１０の底板部１０ｂの上面に係合すると共に、固定ボルト６のオネジ部６ｂが、ガイドレール４内から上方に抜け出さないように設けられたナット部材７にネジ締結されていたため、サーバーラック１０は、フロアパネル３の上面３ａから上方に浮き上がって転倒することがないように、固定ボルト６を介してフロアパネル３に連結されていた。
【００１０】
また、フロアパネル３に連結するサーバーラック１０の貫通孔１０ｃに対して、ナット部材７の水平方向の位置が一致していない場合には、ナット部材７をガイドレール４の長さ方向に沿って移動させることにより、サーバーラック１０の貫通孔１０ｃの位置に、ナット部材７の位置を合わせることができるようになっていた。
【先行技術文献】
【特許文献】
【００１１】
【特許文献１】特開２０１１−０６９５４２号公報
【発明の概要】
【発明が解決しようとする課題】
【００１２】
しかしながら、図７０に示すように、フロアパネル３の上面３ａに固定されたガイドレール４は、フロアパネル３の上面３ａから上方に突出しているため、データセンター１内にサーバーラック１０等の機器を搬入する際に、ガイドレール４とフロアパネル３の上面３ａとの間に生じる段差が障害になるという問題があった。
【００１３】
例えば、キャスター付きのサーバーラック１０を、データセンター１内に搬入する際には、キャスターが、ガイドレール４とフロアパネル３の上面３ａとの間の段差に引っ掛かってしまい、サーバーラック１０をスムーズに搬入することができなかった。
【００１４】
また、例えば、サーバーラック１０を台車に載せて、データセンター１内に搬入する際にも、台車の車輪が、ガイドレール４とフロアパネル３の上面３ａとの間の段差に引っ掛かってしまい、サーバーラック１０をスムーズに搬入することができなかった。
【００１５】
そこで本発明は、上記問題点に鑑みて、データセンター内に機器を搬入する際に、二重床部材に固定されたレール部材が障害になることを防止する二重床部材を提供することを課題とするものである。
【課題を解決するための手段】
【００１６】
上記課題を解決するために、本発明による二重床部材は、
二重床部材の上面に固定されたレール部材と、
前記レール部材のレール部の長さ方向に沿って移動可能であると共に、前記レール部から上方に離脱することがないように、前記レール部に係合された連結部材とを備え、
前記レール部材は、略同じ板厚の一枚の板部材を折り曲げて一体的に形成され、前記レール部の底板部と、前記底板部の幅方向両端部のそれぞれから上方に垂直に折り曲げられた２つの垂直板部と、前記垂直板部の上端部から前記底板部の幅方向内側に折り曲げて開口部の幅方向端部の位置まで伸びて形成された上側板部と、前記上側板部の前記開口部の幅方向端部の位置においてＵ字状に折れ曲がって前記上側板部の上に重なり、前記底板部の幅方向両端部のそれぞれより外側に伸びた平板部と、前記平板部の幅方向両端部の一方又は両方において下方に垂直に折り曲げられた側板部とを有することを特徴とするものである。
【００１７】
また、本発明による二重床部材は、
前記レール部材の前記平板部の前記側板部の一方の側に前記平板部の厚さと同じ高さの段差分だけ上面が下方に沈み込んだ段差板部を有することを特徴とするものである。
【００１８】
また、本発明による二重床部材は、
前記二重床部材は、フロアパネルであることを特徴とするものである。
【００１９】
また、本発明による二重床部材は、
前記二重床部材は、架台であることを特徴とするものである。
【発明の効果】
【００２０】
このような本発明の二重床部材によれば、
二重床部材の上面に固定されたレール部材と、
前記レール部材のレール部の長さ方向に沿って移動可能であると共に、前記レール部から上方に離脱することがないように、前記レール部に係合された連結部材とを備え、
前記レール部材は、略同じ板厚の一枚の板部材を折り曲げて一体的に形成され、前記レール部の底板部と、前記底板部の幅方向両端部のそれぞれから上方に垂直に折り曲げられた２つの垂直板部と、前記垂直板部の上端部から前記底板部の幅方向内側に折り曲げて開口部の幅方向端部の位置まで伸びて形成された上側板部と、前記上側板部の前記開口部の幅方向端部の位置においてＵ字状に折れ曲がって前記上側板部の上に重なり、前記底板部の幅方向両端部のそれぞれより外側に伸びた平板部と、前記平板部の幅方向両端部の一方又は両方において下方に垂直に折り曲げられた側板部とを有することにより、
データセンター内に機器を搬入する際に、二重床部材に固定されたレール部材が障害になることを防止することができる。
【図面の簡単な説明】
【００２２】
【図１】本発明の第１の実施の形態に係るフロアパネル２０を示す斜視図である。
【図２】図１に示すフロアパネル２０の上面図である。
【図３】図２に示すフロアパネル２０の正面図である。
【図４】図２に示すフロアパネル２０の右側面図である。
【図５】図２に示すフロアパネル２０の一部を省略して示すＡ−Ａ線矢視断面図である。
【図６】図５のフロアパネル２０の一部を拡大して示す拡大部分断面図である。
【図７】図２に示すレール部材３０の正面図である。
【図８】図２に示すレール部材３１の正面図である。
【図９】図２に示すレール部材３２の正面図である。
【図１０】図２に示すフロアパネル２０の一部を省略して、レール部材３０とレール部材３１の連結部分を示すＢ−Ｂ線矢視断面図である。
【図１１】図２に示すフロアパネル２０の一部を省略して、レール部材３０とレール部材３２の連結部分を示すＢ−Ｂ線矢視断面図である。
【図１２】図１０のフロアパネル２０の一部を拡大して示す拡大部分断面図である。
【図１３】図１に示す４枚のフロアパネル２０の上面に設置されたサーバーラック２００を示す斜視図である。
【図１４】図１３に示す４枚のフロアパネル２０とサーバーラック２００の上面図である。
【図１５】図１４に示す４枚のフロアパネル２０とサーバーラック２００における、フロアパネル２０とサーバーラック２００との連結部分を省略して示すＣ−Ｃ線矢視断面図である。
【図１６】本発明の第２の実施の形態に係るフロアパネル４０を示す斜視図である。
【図１７】図１６に示すフロアパネル４０の上面図である。
【図１８】図１７に示すフロアパネル４０の正面図である。
【図１９】図１７に示すフロアパネル４０の右側面図である。
【図２０】図１７に示すフロアパネル４０の一部を省略して示すＤ−Ｄ線矢視断面図である。
【図２１】図２０のフロアパネル４０の一部を拡大して示す拡大部分断面図である。
【図２２】図１７に示すフロアパネル４０の一部を省略して示すＥ−Ｅ線矢視断面図である。
【図２３】図２２のフロアパネル４０の一部を拡大して示す拡大部分断面図である。
【図２４】図２３に示すフロアパネル４０の上面にサーバーラック４００が設置された場合における、フロアパネル４０とサーバーラック４００との連結部分を示す図である。
【図２５】本発明の第３の実施の形態に係るフロアパネル６０を示す斜視図である。
【図２６】図２５に示すフロアパネル６０の上面図である。
【図２７】図２６に示すフロアパネル６０の正面図である。
【図２８】図２６に示すフロアパネル６０の右側面図である。
【図２９】図２６に示すフロアパネル６０の一部を省略して示すＦ−Ｆ線矢視断面図である。
【図３０】図２９のフロアパネル６０の一部を拡大して示す拡大部分断面図である。
【図３１】図２６に示すフロアパネル６０の一部を省略して示すＧ−Ｇ線矢視断面図である。
【図３２】図３１のフロアパネル６０の一部を拡大して示す拡大部分断面図である。
【図３３】図２５に示す連結部材６４の上面図である。
【図３４】図３３に示す連結部材６４の底面図である。
【図３５】図３３に示す連結部材６４の右側面図である。
【図３６】図３３に示す連結部材６４のＨ−Ｈ線矢視断面図である。
【図３７】図３３に示す連結部材６４のＩ−Ｉ線矢視断面図である。
【図３８】図２６に示すフロアパネル６０の一部を省略して示すＪ−Ｊ線矢視断面図である。
【図３９】図３８のフロアパネル６０の一部を拡大して示す拡大部分断面図である。
【図４０】図２６に示すフロアパネル６０の一部を省略して示すＫ−Ｋ線矢視断面図である。
【図４１】図４０のフロアパネル６０の一部を拡大して示す拡大部分断面図である。
【図４２】図２５に示す４枚のフロアパネル６０の上面に設置されたサーバーラック２００を示す斜視図である。
【図４３】図４２に示す４枚のフロアパネル６０とサーバーラック２００の上面図である。
【図４４】図４３に示す４枚のフロアパネル６０とサーバーラック２００の正面図である。
【図４５】図４３に示すフロアパネル６０とサーバーラック２００における、フロアパネル６０とサーバーラック２００との連結部分を省略して示すＬ−Ｌ線矢視断面図である。
【図４６】本発明の第４の実施の形態に係るフロアパネル８０を示す斜視図である。
【図４７】図４６に示すフロアパネル８０の上面図である。
【図４８】図４７に示すフロアパネル８０のＭ−Ｍ線矢視断面図である。
【図４９】図４８のフロアパネル８０の段差解消部材９０の部分を拡大して示す拡大部分断面図である。
【図５０】図４８のフロアパネル８０の右側のガイドレール４の部分を拡大して示す拡大部分断面図である。
【図５１】図４８に示すフロアパネル８０とサーバーラック４００との連結部分を拡大して示す断面図である。
【図５２】図５０のフロアパネル８０の拡大部分断面図において、ガイドレール４のレール内に棒状部材９２が嵌入された状態を示す図である。
【図５３】本発明の第５の実施の形態に係るフロアパネル１００を示す斜視図である。
【図５４】図５３に示すフロアパネル１００の上面図である。
【図５５】図５３に示すフロアパネル１００のＮ−Ｎ線矢視断面図である。
【図５６】図５５のフロアパネル１００の段差解消部材１１０の部分を拡大して示す拡大部分断面図である。
【図５７】図５５のフロアパネル１００の右側のガイドレール４の部分を拡大して示す拡大部分断面図である。
【図５８】本発明の第６の実施の形態に係るフロアパネル１２０を示す斜視図である。
【図５９】図５８に示すフロアパネル１２０の上面図である。
【図６０】図５９に示すフロアパネル１２０のＯ−Ｏ線矢視断面図である。
【図６１】図６０のフロアパネル１２０の段差解消部材１３０の部分を拡大して示す拡大部分断面図である。
【図６２】図６０のフロアパネル１２０の右側のガイドレール４の部分を拡大して示す拡大部分断面図である。
【図６３】本発明の第７の実施の形態に係るフロアパネル１４０を示す斜視図である。
【図６４】図６３に示すフロアパネル１４０の上面図である。
【図６５】図６４に示すフロアパネル１４０の一部を省略して示す右側面図である。
【図６６】図６５のフロアパネル１４０のレール部材１５０の部分を拡大して示す拡大部分断面図である。
【図６７】図６４に示すフロアパネル１４０のＰ−Ｐ線矢視断面図である。
【図６８】図６７のフロアパネル１４０の右側のレール部材１５０の部分を拡大して示す拡大部分断面図である。
【図６９】従来技術に係るフロアパネル３が使用されるデータセンター１において、サーバーラック１０がフロアパネル３上に載置された状態を示す概略側面図である。
【図７０】図６９に示すフロアパネル３の斜視図である。
【図７１】図６９に示すフロアパネル３とサーバーラック１０との連結部分を拡大して示す断面図である。
【発明を実施するための形態】
【００２３】
以下、本発明に係る二重床部材を実施するための形態について、図面に基づいて具体的に説明する。
図１から図１５は、本発明の第１の実施の形態に係るフロアパネル２０（二重床部材）について説明するために参照する図である。
【００２４】
本実施の形態に係るフロアパネル２０は、図１から図４に示すように、パネル本体部２１と、その上面に固定されたレール部材３０，３１，３２を備えて構成されている。
【００２５】
パネル本体部２１は、その材質にアルミニウム合金を用いたダイカスト製品であって、その上面を形成する平板部２１ａと、この平板部２１ａの裏面側に一体的に形成された複数のリブ２１ｂを備えて構成されている（図５，図６参照）。
【００２６】
パネル本体部２１の複数のリブ２１ｂのそれぞれは、平板部２１ａの裏面側から床下方向（図５中下側方向）に突出すると共に、平板部２１ａの水平面に沿って縦横両方向（図２中上下方向及び左右方向）に長さが伸びるように格子状に形成されている。パネル本体部２１は、このような複数のリブ２１ｂが形成されていることにより、その強度が向上するようになっている。
【００２７】
また、図６，１２に示すように、パネル本体部２１の平板部２１ａにおける、その裏面側にリブ２１ｂの形成されていない位置には、平板部２１ａの板厚方向（図１２中上下方向）に貫通する貫通孔２１ｃ，２１ｄが、それぞれ図２中上下左右方向に所定の間隔を空けて複数形成されている。貫通孔２１ｃは、図６に示すように、その開口面積が図中下側に向かうに従って小さくなるように、その内周面が傾斜して形成されている。
【００２８】
また、図６，１０に示すように、パネル本体部２１の平板部２１ａの上面には、後述するサーバーラック２００（図１３参照）とパネル本体部２１とを連結する合計５つのレール部材３０，３１，３２が固定されている。
【００２９】
図４に示すように、レール部材３１のレール部３１ａ（図８参照）内、及びレール部材３１の図４中左隣に配置されたレール部材３０のレール部３０ａ（図７参照）内には、それぞれナット部材２７（連結部材）が配置されている。
【００３０】
図２に示すように、同図中左右方向に長さを有するレール部材３０，３１，３２は、互いに平行になるように同図中上下方向に並べられた状態で、パネル本体部２１の平板部２１ａ（図１０，１１参照）の上面に固定されている。
【００３１】
図１０に示すように、パネル本体部２１の平板部２１ａの上面における図４中右側の辺部に沿う位置には、レール部材３１が１つ配置され、図１１に示すように、パネル本体部２１の平板部２１ａの上面における図４中左側の辺部に沿う位置には、レール部材３２が１つ配置されている。
【００３２】
そして、図４に示すように、パネル本体部２１の平板部２１ａ（図１０，１１参照）の上面における、レール部材３１とレール部材３２の間には、３つのレール部材３０が配置されている。
【００３３】
図７〜９に示す３種類のレール部材３０，３１，３２は、それぞれ材質に略同じ板厚の鋼板等を用いて一体的に形成されている。
【００３４】
図７に示すように、レール部材３０には、その長さ方向（図２中左右方向）に対して垂直な断面形状がＣ字型のレール部３０ａが、そのＣ字型の開口部が図中上方に開口するように形成されている。
【００３５】
レール部３０ａは、その開口部と反対側の底板部３０ｂと、底板部３０ｂの幅方向（図７中左右方向）の両端部からそれぞれ略垂直上方に折れ曲がって、図中上方に伸びる２つの垂直板部３０ｄと、２つの垂直板部３０ｄの図中上端部から、それぞれ図中左右方向の中央部側に略垂直に折れ曲がって、図中左右方向に伸びる２つの上側板部３０ｃから構成されている。
【００３６】
また、レール部材３０には、図７中左右方向に水平に伸びる２つの上側板部３０ｃにおける、垂直板部３０ｄ側と反対側の端部から、図７中上側に略Ｕ字状に折れ曲がるＵ字状部３０ｅがそれぞれ形成されている。
【００３７】
また、レール部材３０には、２つのＵ字状部３０ｅにおける、上側板部３０ｃ側と反対側の端部から、それぞれ図７中左右方向の外側に向かって水平に伸びると共に、平坦な上面３０ｆを有する平板部３０ｇが形成されている。
【００３８】
また、レール部材３０には、図７中右側の平板部３０ｇの図中右端部から、図７中下方に少し折れ曲がった折曲部３０ｈが形成されると共に、その折曲部３０ｈの図中下端部から図中右方向に向かって水平に伸びる段差板部３０ｉが形成されている。
【００３９】
また、レール部材３０には、段差板部３０ｉの図中右端部から、図７中略垂直下方に折れ曲がって、その下端面がレール部３０ａの底板部３０ｂの下面と略同じ高さになるように、図７中下方向に伸びる側板部３０ｊが形成されている。
【００４０】
また、レール部３０ａの底板部３０ｂには、その板厚方向（図７中上下方向）に貫通すると共に、その開口面積が図７中下側に向かうに従って小さくなるように、その内周面が傾斜して形成された貫通孔３０ｌが、レール部材３０の長さ方向（図２中左右方向）に所定の間隔を空けて複数形成されている。
【００４１】
また、レール部３０ａの図７中左側の平板部３０ｇには、その板厚方向（図７中上下方向）に貫通すると共に、その開口面積が図７中下側に向かうに従って小さくなるように、その内周面が傾斜して形成された貫通孔３０ｍが、レール部材３０の長さ方向（図２中左右方向）に所定の間隔を空けて複数形成されている。
【００４２】
レール部材３１は、図８に示すように、図中右側の平板部３１ｇと側板部３１ｊとの間に、レール部材３０における折曲部３０ｈ、及び段差板部３０ｉ（図７参照）が形成されていない点においてレール部材３０と異なっている。
【００４３】
さらに、レール部材３１は、図８に示すように、図中左側の平板部３１ｇだけでなく、図中右側の平板部３１ｇにも、レール部材３０の貫通孔３０ｍと同様な貫通孔３１ｍが形成されている点においてもレール部材３０と異なっている。その他の部分の形状はレール部材３０と同様である。
【００４４】
レール部材３２は、図９に示すように、図中左側の平板部３２ｇの左端部から、図中略垂直下方に折れ曲がって、その下端面がレール部３２ａの底板部３２ｂの下面と同じ高さになるように、図中下方向に伸びる側板部３２ｋが形成されている点において、レール部材３０と異なっている。その他の部分の形状はレール部材３０と同様である（図７参照）。
【００４５】
そして、レール部材３０，３１，３２は、図１０〜１２に示すように、レール部３０ａの底板部３０ｂ（図７参照），レール部３１ａの底板部３１ｂ（図８参照），及びレール部３２ａの底板部３２ｂ（図９参照）の下面が、パネル本体部２１の平板部２１ａの上面に接触するようにそれぞれ配置されている。
【００４６】
図１２の右側に示すように、レール部材３０の段差板部３０ｉ（図７参照）と、そのレール部材３０の図中右隣に配置されたレール部材３１の平板部３１ｇ（図８参照）の図８中左端部は、互いに図中上下方向に重なるように配置されている（図１０参照）。
【００４７】
しかしながら、レール部材３０の段差板部３０ｉは、平板部３０ｇよりも平板部３１ｇの板厚寸法だけ図１２中下方に凹んだ位置に形成されている（図７参照）ため、レール部材３０の平板部３０ｇの上面３０ｆと、レール部材３１の平板部３１ｇの上面３１ｆの高さは略同じになっている。
【００４８】
また、図１２の左側に示すように、レール部材３０の段差板部３０ｉ（図７参照）と、そのレール部材３０の図中右隣に配置されたレール部材３０の平板部３０ｇ（図７参照）の図中左端部は、互いに図中上下方向に重なるように配置されている。
【００４９】
しかしながら、レール部材３０の段差板部３０ｉは、平板部３０ｇよりも平板部３０ｇの板厚寸法だけ図１２中下方に凹んだ位置に形成されている（図７参照）ため、レール部材３０の平板部３０ｇの上面３０ｆと、そのレール部材３０の図１２中右隣に配置されたレール部材３０の平板部３０ｇの上面３０ｆの高さは略同じになっている。
【００５０】
また、図１１に示すように、レール部材３２の段差板部３２ｉ（図９参照）と、そのレール部材３２の図中右隣に配置されたレール部材３０の平板部３０ｇ（図７参照）の図中左端部は、互いに図中上下方向に重なるように配置されている。
【００５１】
しかしながら、レール部材３２の段差板部３２ｉは、平板部３２ｇよりも平板部３０ｇの板厚寸法だけ図１１中下方に凹んだ位置に形成されている（図９参照）ため、レール部材３２の平板部３２ｇの上面３２ｆと、レール部材３０の平板部３０ｇの上面３０ｆの高さは略同じになっている。
【００５２】
このように、レール部材３０，３１，３２は、互いに図１０，１１中上下方向に重なる部分が生じるように、図４中左右方向に並べて配置されているが、それぞれの上面３０ｆ，３１ｆ，３２ｆ（図７〜９参照）は互いに略同じ高さになっている。
【００５３】
レール部材３１は、図６に示すように、その底板部３１ｂの貫通孔３１ｌ（図８参照）がパネル本体部２１の平板部２１ａの貫通孔２１ｃに連通すると共に、図１０に示すように、平板部３１ｇの貫通孔３１ｍ（図８参照）がパネル本体部２１の平板部２１ａの貫通孔２１ｄに連通するように、平板部２１ａの上面に配置されている（図２参照）。
【００５４】
そして、図６に示すように、皿ボルト２９のオネジ部２９ｂが、貫通孔３１ｌと貫通孔２１ｃを挿通すると共に、皿ボルト２９の頭部２９ａは、その上面が底板部３１ｂの上面（図８参照）より図６中上方に突出しないように、底板部３１ｂの貫通孔３１ｌ、及び平板部２１ａの貫通孔２１ｃに挿入されている。
【００５５】
また、図５，６に示すように、平板状の板部材２５が、パネル本体部２１の複数のリブ２１ｂの内、平板部２１ａの裏面側から床下方向（図６中下側方向）に突出する長さ寸法が最も大きいリブ２１ｂの先端部にその上面が接触するように配置されている。
【００５６】
板部材２５には、図６に示すように、底板部３１ｂの貫通孔３１ｌ、及び平板部２１ａの貫通孔２１ｃに対応する位置に、その板厚方向（図中上下方向）に貫通するメネジ孔２５ｂが形成されている。
【００５７】
そして、図６に示すように、底板部３１ｂの貫通孔３１ｌ（図８参照）、及び平板部２１ａの貫通孔２１ｃを挿通して、図中下方に突出している皿ボルト２９のオネジ部２９ｂの先端部が、板部材２５のメネジ孔２５ｂにネジ締結されている。
【００５８】
また、図１０に示すように、皿ボルト２９のオネジ部２９ｂが、レール部材３１の貫通孔３１ｍ（図８参照）と、平板部２１ａの貫通孔２１ｄを挿通すると共に、皿ボルト２９の頭部２９ａの上端部は、その上面がレール部材３１の上面３１ｆ（図８参照）より図中上方に突出しないように、レール部材３１の貫通孔３１ｍに挿入されている。
【００５９】
板部材２５には、図１０に示すように、レール部材３１の貫通孔３１ｍ、及び平板部２１ａの貫通孔２１ｄに対応する位置に、その板厚方向（図中上下方向）に貫通するメネジ孔２５ｃが形成されている。
【００６０】
そして、レール部材３１の貫通孔３１ｍ（図８参照）、及び平板部２１ａの貫通孔２１ｄを挿通して、図中下方に突出している皿ボルト２９のオネジ部２９ｂの先端部が、板部材２５のメネジ孔２５ｃにネジ締結されている。
【００６１】
したがって、レール部材３１がパネル本体部２１の平板部２１ａから上方に浮き上がろうとした場合には、レール部材３１の貫通孔３１ｌ，３１ｍ（図８参照）の傾斜した内周面が、皿ボルト２９の頭部２９ａに係合すると共に、皿ボルト２９のオネジ部２９ｂの先端部にネジ締結された板部材２５の上面が、パネル本体部２１のリブ２１ｂの下面に係合するようになっているため、レール部材３１は、図１０中上方に浮き上がることがないようにパネル本体部２１に固定されている。
【００６２】
また、レール部材３０もレール部材３１と同様に、パネル本体部２１の平板部２１ａから上方に浮き上がることがないように、皿ボルト２９及び板部材２５によりパネル本体部２１に固定されている。
【００６３】
すなわち、図１２に示すように、皿ボルト２９のオネジ部２９ｂが、レール部材３０の貫通孔３０ｌ（図７参照）と、平板部２１ａの貫通孔２１ｃ（図６参照）を挿通すると共に、皿ボルト２９の頭部２９ａ（図６参照）は、その上面が底板部３０ｂ（図７参照）の上面より図１２中上方に突出しないように、底板部３０ｂの貫通孔３０ｌ、及び平板部２１ａの貫通孔２１ｃに挿入されている。
【００６４】
そして、レール部材３０の貫通孔３０ｌ（図７参照）、平板部２１ａの貫通孔２１ｃを挿通して、図１２中下方に突出している皿ボルト２９のオネジ部２９ｂの先端部は、板部材２５のメネジ孔２５ｂにネジ締結されている。
【００６５】
また、図１２に示すように、皿ボルト２９のオネジ部２９ｂが、レール部材３０の貫通孔３０ｍ（図７参照）と、平板部２１ａの貫通孔２１ｄを挿通すると共に、皿ボルト２９の頭部２９ａの上端部は、その上面がレール部材３０の上面３０ｆ（図７参照）より上方に突出しないように、レール部材３０の貫通孔３０ｍに挿入されている。
【００６６】
そして、レール部材３０の貫通孔３０ｍ（図７参照）、平板部２１ａの貫通孔２１ｄを挿通して、図１２中下方に突出している皿ボルト２９のオネジ部２９ｂの先端部は、板部材２５のメネジ孔２５ｃにネジ締結されている。
【００６７】
また、レール部材３２もレール部材３１と同様に、パネル本体部２１の平板部２１ａから上方に浮き上がることがないように、皿ボルト２９及び板部材２５によりパネル本体部２１に固定されている。
【００６８】
すなわち、図１１に示すように、皿ボルト２９のオネジ部２９ｂが、レール部材３２の貫通孔３２ｌ（図９参照）と、平板部２１ａの貫通孔２１ｃ（図６参照）を挿通すると共に、皿ボルト２９の頭部２９ａ（図６参照）は、その上面が底板部３２ｂ（図９参照）の上面より図１１中上方に突出しないように、底板部３２ｂの貫通孔３２ｌ、及び平板部２１ａの貫通孔２１ｃに挿入されている。
【００６９】
そして、レール部材３２の貫通孔３２ｌ（図９参照）、平板部２１ａの貫通孔２１ｃを挿通して、図１１中下方に突出している皿ボルト２９のオネジ部２９ｂの先端部は、板部材２５のメネジ孔２５ｂにネジ締結されている。
【００７０】
また、図１１に示すように、皿ボルト２９のオネジ部２９ｂが、レール部材３２の貫通孔３２ｍ（図９参照）と、平板部２１ａの貫通孔２１ｄを挿通すると共に、皿ボルト２９の頭部２９ａの上端部は、その上面がレール部材３２の上面３２ｆ（図９参照）より上方に突出しないように、レール部材３２の貫通孔３２ｍに挿入されている。
【００７１】
そして、レール部材３２の貫通孔３２ｍ（図９参照），平板部２１ａの貫通孔２１ｄを挿通して、図１１中下方に突出している皿ボルト２９のオネジ部２９ｂの先端部は、板部材２５のメネジ孔２５ｃにネジ締結されている。
【００７２】
図１０に示すように、レール部材３０のレール部３０ａ（図７参照）内、及びレール部材３１のレール部３１ａ（図８参照）内には、ナット部材２７が、レール部材３０，３１の長さ方向（図２中左右方向）に沿って移動できるようにそれぞれ配置されている。
【００７３】
ナット部材２７は、その材質に鋼材等を用いて、図１２に示すように、図中下側の下側板部２７ｂと、その下側板部２７ｂにおける同図中左右方向の中央部から上方に突出する突出部２７ｃを有するように一体形成されている。そのため、ナット部材２７は、そのレール部材３０の長さ方向（図２中左右方向）に垂直な断面形状が凸の字状になるように形成されている。
【００７４】
また、図１０、１２に示すように、ナット部材２７の中央部には、その板厚方向（図１０中上下方向）に貫通するメネジ孔２７ａが形成されている。
【００７５】
前述のように、皿ボルト２９の頭部２９ａ（図６参照）は、その上面がレール部材３０の底板部３０ｂ（図７参照）の上面より図１２中上方に突出しないように、底板部３０ｂの貫通孔３０ｌ（図７参照）、及び平板部２１ａの貫通孔２１ｃに挿入されている。
【００７６】
そのため、ナット部材２７をレール部材３０の長さ方向（図２中左右方向）に沿って移動させた場合に、ナット部材２７が皿ボルト２９の頭部２９ａに衝突することはなく、レール部材３０の図２中右側の端部から同図中左側の端部まで、ナット部材２７を自由に移動させることができる。
【００７７】
また、ナット部材２７の下側板部２７ｂの幅の寸法（図１２中左右方向の長さ寸法）は、レール部材３０のレール部３０ａの上方に開口する開口幅の寸法（図１２中左右方向の長さ寸法）よりも大きく形成されている。
【００７８】
そのため、ナット部材２７は、同図中上方に引っ張られた場合でも、下側板部２７ｂの上面が、レール部３０ａの上側板部３０ｃ（図７参照）の図１２中下側の面に係合することにより図１２中上方への移動が制限されている。
【００７９】
このように、ナット部材２７は、同図中上方に引っ張られた場合でも、レール部材３０のレール部３０ａの開口部を通って、レール部３０ａから抜け出す（離脱する）ことがないように形成されている。
【００８０】
レール部材３１のレール部３１ａ（図８参照）内に配置されたナット部材２７も、レール部材３０のレール部３０ａ内に配置されたナット部材２７と同様に、レール部材３１の図２中右側の端部から同図中左側の端部まで移動できると共に、レール部３１ａから抜け出す（離脱する）ことがないようになっている（図１０参照）。
【００８１】
そして、図１０，１２に示すように、レール部材３０，３１のレール部３０ａ，３１ａの開口部を通って挿入される固定ボルト２６のオネジ部２６ｂの先端部を、ナット部材２７のメネジ孔２７ａにネジ締結できるようになっている（図６参照）。
【００８２】
固定ボルト２６にネジ締結された、レール部材３０内のナット部材２７は、図１２に示すように、下側板部２７ｂの上面がレール部３０ａ（図７参照）の開口部側の内周面（上側板部３０ｃの図７中下面）に接触し、突出部２７ｃがレール部３０ａの開口部に挿入された状態で配置されている。
【００８３】
また、固定ボルト２６にネジ締結された、レール部材３１内のナット部材２７も同様に、下側板部２７ｂ（図１２参照）の上面がレール部３１ａ（図８参照）の開口部側の内周面（上側板部３１ｃの図８中下面）に接触し、突出部２７ｃ（図１２参照）がレール部３１ａの開口部に挿入された状態で配置されている。
【００８４】
図１３から図１５に示すように、レール部材３０，３１，３２の上面３０ｆ，３１ｆ，３２ｆ（図７から図９参照）には、サーバーラック２００（機器）が載置されている。また、サーバーラック２００の底面を形成する底板部２００ｂには、その板厚方向（図１５中上下方向）に貫通する貫通孔２００ｃが形成されている。
【００８５】
図１５に示すように、固定ボルト２６の頭部２６ａの下面が、サーバーラック２００の底板部２００ｂの上面に接触して係合すると共に、固定ボルト２６のオネジ部２６ｂの先端部が、サーバーラック２００の貫通孔２００ｃ、及びレール部材３０のレール部３０ａ（図７参照）の開口部を挿通して、ナット部材２７のメネジ孔２７ａにネジ締結している。
【００８６】
このように、固定ボルト２６の頭部２６ａの下面が、サーバーラック２００の底板部２００ｂの上面に係合すると共に、固定ボルト２６のオネジ部２６ｂが、レール部材３０のレール部３０ａ内から上方に抜け出さないように設けられたナット部材２７にネジ締結されているため、サーバーラック２００は、上方に浮き上がって転倒することがないように、固定ボルト２６を介してフロアパネル２０に連結されている。
【００８７】
フロアパネル２０に連結するサーバーラック２００の貫通孔２００ｃに対して、ナット部材２７の図２中左右方向の位置が一致していない場合には、ナット部材２７を、レール部材３０，３１の長さ方向（図２中左右方向）に沿って移動させることにより、サーバーラック２００の貫通孔２００ｃの位置に、ナット部材２７の位置を合わせることができる。
【００８８】
また、図４に示すように、レール部材３１のレール部３１ａ内（図８参照）、及びレール部材３１の図４中左隣に配置されたレール部材３０のレール部３０ａ（図７参照）内にのみナット部材２７が配置され、その他のレール部材３０，３２内にはナット部材２７は配置されていない（図１０，１１参照）。
【００８９】
そのため、フロアパネル２０に連結するサーバーラック２００の貫通孔２００ｃに対して、ナット部材２７の図４中左右方向の位置が一致していない場合には、ナット部材２７が配置されていない他のレール部材３０，３２内にナット部材２７を移動させることにより、ナット部材２７の図４中左右方向の位置を変更することができる。
【００９０】
このように、サーバーラック２００のサイズ（幅と奥行き）が製品ごとに異なることにより、サーバーラック２００の貫通孔２００ｃの位置が製品ごとに異なっている場合でも、ナット部材２７をレール部材３０，３１，３２の長さ方向に沿って移動させたり、ナット部材２７を別のレール部材３０，３１，３２内に移動させたりすることにより、固定ボルト２６とネジ締結されるナット部材２７の水平方向の位置を、サーバーラック２００の貫通孔２００ｃの水平方向の位置に合わせることができる。
【００９１】
したがって、サーバーラック２００の設置工事に、本実施の形態に係るフロアパネル２０を用いれば、サーバーラック２００の製品ごとに異なる貫通孔２００ｃの水平方向の位置を想定して、サーバーラック２００を固定するための貫通孔をフロアパネル２０に予め多数形成する必要がなくなる。
【００９２】
また、サーバーラック２００の設置工事に、本実施の形態に係るフロアパネル２０を用いれば、サーバーラック２００の製品ごとに異なる貫通孔２００ｃの水平方向の位置が、予め想定できない位置であった場合に、その都度、サーバーラック２００を固定するための貫通孔をフロアパネル２０に形成する必要がなくなる。
【００９３】
このため、サーバーラック２００の設置工事に、本実施の形態に係るフロアパネル２０を用いれば、サーバーラック２００の設置工事にかかる費用が高額になることを防止すると共に、施工効率が低減することを防止することができる。
【００９４】
また、前述のように、レール部材３０，３１，３２（図７〜９参照）には、レール部３０ａ，３１ａ，３２ａに加えて、平板部３０ｇ，３１ｇ，３２ｇがそれぞれ形成されており、平板部３０ｇ，３１ｇ，３２ｇの上面３０ｆ，３１ｆ，３２ｆは、互いに同じ高さになるように配置されている（図１０〜１２参照）。
【００９５】
このように、フロアパネル２０の上面には段差が形成されていないため、データセンター１内にサーバーラック２００等の機器を搬入する際に、例えば、サーバーラック２００のキャスターや、サーバーラック２００を運ぶ台車の車輪が、スムーズにフロアパネル２０の上面を通過することができる。
【００９６】
したがって、本実施の形態に係るフロアパネル２０を用いれば、データセンター１内に機器を搬入する際に、フロアパネル２０に固定されたレール部材３０，３１，３２が障害になることを防止することができる。
【００９７】
図１６から図２４は、本発明の第２の実施の形態に係るフロアパネル４０（二重床部材）について説明するために参照する図である。
【００９８】
本実施の形態に係るフロアパネル４０は、図１６〜１８に示すように、レール部材３０，３１，３２、ナット部材２７の他に、ガイドレール４４と、ガイドレール４４内に配置されるナット部材４７も備える点において、前記第１の実施の形態に係るフロアパネル２０と異なるものである。
【００９９】
すなわち、本実施の形態に係るフロアパネル４０においては、図１７に示すように、レール部材３０，３１，３２が、パネル本体部２１の平板部２１ａの上面に固定されているだけでなく、レール部材３０，３１に直交するように、同図中上下方向に伸びる２本のガイドレール４４が、レール部材３０，３１の上面３０ｆ，３１ｆ（図７，８参照）に配置されている（図１９参照）。
【０１００】
その他の構成は、前記第１の実施の形態に係るフロアパネル２０と同様である。
【０１０１】
ガイドレール４４は、図２１に示すように、その長さ方向（図１７中上下方向）に垂直な断面形状がＣ字型に形成されると共に、図２３に示すように、上方に開口する開口部とは反対側の底板部４４ａ（図２１参照）が、レール部材３０，３１の上面３０ｆ，３１ｆ（図７，８参照）に接触するように配置されている。
【０１０２】
図２１に示すように、ガイドレール４４の底板部４４ａの長さ方向（図２２中左右方向）両端部には、その板厚方向に貫通する貫通孔４４ｂが形成されており、貫通孔４４ｂは、その開口面積が図２１中下側に向かうに従って小さくなるように、その内周面が傾斜して形成されている。
【０１０３】
そして、図２１に示すように、ガイドレール４４は、その貫通孔４４ｂがレール部材３０，３１のレール部３０ａ，３１ａ（図７，８参照）内にそれぞれ配置されたナット部材２７のメネジ孔２７ａに連通するように配置されている。
【０１０４】
そして、図２１に示すように、皿ボルト４９のオネジ部４９ｂが、ガイドレール４４の底板部４４ａの貫通孔４４ｂを挿通して、ナット部材２７のメネジ孔２７ａにネジ締結されると共に、皿ボルト４９の頭部４９ａは、その上面がガイドレール４４の底板部４４ａの上面（図２３参照）より上方に突出しないように、ガイドレール４４の貫通孔４４ｂに挿入されている。
【０１０５】
したがって、ガイドレール４４がレール部材３０，３１の上面３０ｆ，３１ｆから上方に浮き上がろうとした場合には、ガイドレール４４の貫通孔４４ｂの傾斜した内周面が、皿ボルト４９の頭部４９ａに係合すると共に、皿ボルト４９のオネジ部４９ｂが、レール部材３０，３１のレール部３０ａ，３１ａ内から上方に抜け出さないように設けられたナット部材２７にネジ締結されているため、ガイドレール４４は、レール部材３０，３１の上面３０ｆ，３１ｆ（図７，８参照）から図２２中上方に浮き上がることがないように、ナット部材２７に連結されている。
【０１０６】
このように、ガイドレール４４の長さ方向（図１７中上下方向）の両端部は、レール部材３０，３１の長さ方向（図１７中左右方向）に沿って移動可能なナット部材２７にそれぞれ連結されている。
【０１０７】
前述のように、皿ボルト４９の頭部４９ａ（図２３参照）は、その上面がガイドレール４４の底板部４４ａの上面より上方に突出しないように、ガイドレール４４の貫通孔４４ｂに挿入されているため、ナット部材４７をガイドレール４４の長さ方向（図２２中左右方向）に沿って移動させた場合に、ナット部材４７が皿ボルト４９の頭部４９ａに衝突することはなく、ガイドレール４４の図２２中右端部から同図中左端部まで、ナット部材４７を自由に移動させることができる。
【０１０８】
また、図２１に示すように、ナット部材４７の幅寸法（同図中左右方向の長さ寸法）は、ガイドレール４４の上方に開口する開口幅の寸法（同図中左右方向の長さ寸法）よりも大きく形成されている。
【０１０９】
そのため、ナット部材４７は、図２１中上方に引っ張られた場合でも、ガイドレール４４における開口部側の内周面に係合することにより同図中上方への移動が制限され、ガイドレール４４の開口部を通って、ナット部材４７がガイドレール４４から抜け出す（離脱する）ことがないようになっている。
【０１１０】
そして、図２３に示すように、ガイドレール４４の図２１中上方に開口する開口部を通って挿入される固定ボルト２６のオネジ部２６ｂの先端部を、ナット部材４７のメネジ孔４７ａにネジ締結できるようになっている。
【０１１１】
固定ボルト２６にネジ締結されたナット部材４７は、図２１，２３に示すように、その上面がガイドレール４４の開口部側の内周面に接触した状態でガイドレール４４内に配置されている。
【０１１２】
フロアパネル４０の上面には、図２４に示すように、底面を形成する底板部４００ｂに脚部４００ａが取り付けられたサーバーラック４００が載置されている。また、サーバーラック４００の底板部４００ｂには、その板厚方向（同図中上下方向）に貫通する貫通孔４００ｃが形成されている。
【０１１３】
そして、図２４に示すように、固定ボルト２６の頭部２６ａの下面が、サーバーラック４００の底板部４００ｂの上面に接触して係合すると共に、固定ボルト２６のオネジ部２６ｂの先端部が、サーバーラック４００の底板部４００ｂの貫通孔４００ｃ、及びガイドレール４４の開口部を挿通して、ナット部材４７に形成されたメネジ孔４７ａにネジ締結している。
【０１１４】
このように、固定ボルト２６の頭部２６ａの下面が、サーバーラック４００の底板部４００ｂの上面に係合すると共に、固定ボルト２６のオネジ部２６ｂが、ガイドレール４４内から上方に抜け出さないように形成されたナット部材４７にネジ締結されているため、サーバーラック４００は、フロアパネル４０の上面から浮き上がって転倒することがないように、固定ボルト２６を介してフロアパネル４０に連結されている。
【０１１５】
したがって、連結するサーバーラック４００の貫通孔４００ｃに対して、ナット部材４７（図２２参照）の図１７中上下左右方向の位置が一致していない場合には、ナット部材２７をレール部材３０，３１の長さ方向に沿って移動させることにより、ガイドレール４４を図１７中左右方向に移動させると共に、ナット部材４７をガイドレール４４の長さ方向に沿って移動させることにより、ナット部材４７の位置を、連結するサーバーラック４００の貫通孔４００ｃの位置に合わせることができる。
【０１１６】
すなわち、フロアパネル４０は、レール部材３０，３１，及びガイドレール４４のそれぞれの長さ方向に沿って、ナット部材４７を移動できるように構成されているため、図２２中左側のレール部材３０のレール部３０ａ（図７参照）と、図２２中右側のレール部材３１のレール部３１ａ（図８参照）の間に、サーバーラック４００の底板部４００ｂの貫通孔４００ｃの水平方向の位置が配置される場合には、レール部材３０，３１，及びガイドレール４４のそれぞれの長さ方向に沿ってナット部材４７を移動させることにより、貫通孔４００ｃの水平方向の位置に、ナット部材４７の水平方向の位置を合わせることができる。
【０１１７】
また、図１９に示すように、レール部材３１のレール部３１ａ内（図８参照）、及びレール部材３１の図１９中左隣に配置されたレール部材３０のレール部３０ａ（図７参照）内にのみナット部材２７が配置され、その他のレール部材３０，３２内にはナット部材２７は配置されていない（図１７，２２参照）。
【０１１８】
そのため、フロアパネル４０に連結するサーバーラック４００の貫通孔４００ｃに対して、ナット部材４７（図２２参照）の図１９中左右方向の位置が一致していない場合には、ナット部材２７が配置されていない他のレール部材３０，３２内にナット部材２７を移動させて、そのナット部材２７にガイドレール４４の長さ方向両端部を連結することにより、ナット部材４７（図２２参照）の図１９中左右方向の位置を変更することができる。
【０１１９】
このように、サーバーラック４００のサイズ（幅と奥行き）が製品ごとに異なることにより、サーバーラック４００の貫通孔４００ｃの位置が製品ごとに異なっている場合でも、ナット部材２７をレール部材３０，３１，３２の長さ方向に沿って移動させたり、ナット部材４７をガイドレール４４の長さ方向に沿って移動させたり、ナット部材２７を別のレール部材３０，３１，３２内に移動させたりすることにより、固定ボルト２６とネジ締結するナット部材４７の水平方向の位置を、サーバーラック４００の貫通孔４００ｃの水平方向の位置に合わせることができる。
【０１２０】
すなわち、本実施の形態に係るフロアパネル４０においては、サーバーラック４００の貫通孔４００ｃの水平方向の位置に合わせるように、ナット部材４７の位置を移動させることにより、サーバーラック４００とフロアパネル４０とを水平方向の任意の位置において連結することができる。
【０１２１】
サーバーラック４００とフロアパネル４０を連結する前は、フロアパネル４０からガイドレール４４を取り外した状態にしておいて、サーバーラック４００とフロアパネル４０を連結する際に、ガイドレール４４をレール部材３０，３１，３２内に配置されたナット部材２７に連結するようにしている。
【０１２２】
また、前述のように、レール部材３０，３１，３２（図７〜９参照）には、レール部３０ａ，３１ａ，３２ａに加えて、平板部３０ｇ，３１ｇ，３２ｇがそれぞれ形成されており、平板部３０ｇ，３１ｇ，３２ｇの上面３０ｆ，３１ｆ，３２ｆは、互いに同じ高さになるように配置されている（図１０〜１２参照）。
【０１２３】
このように、フロアパネル４０からガイドレール４４を取り外した状態においては、その上面に段差が形成されていないため、データセンター１内にサーバーラック４００等の機器を搬入する際に、例えば、サーバーラック４００のキャスターや、サーバーラック４００を運ぶ台車の車輪が、スムーズにその上面を通過することができる。
【０１２４】
したがって、本実施の形態に係るフロアパネル４０からガイドレール４４を取り外した状態においては、データセンター１内に機器を搬入する際に、フロアパネル４０に固定されたレール部材３０，３１，３２が障害になることを防止することができる。
【０１２５】
このような本実施の形態に係るフロアパネル４０によっても、前記第１の実施の形態に係るフロアパネル２０と同様の効果を得ることができる。
【０１２６】
図２５から図４５は、本発明の第３の実施の形態に係るフロアパネル６０（二重床部材）について説明するために参照する図である。
【０１２７】
なお、本発明の第３の実施の形態に係るフロアパネル６０においては、図４２，４３に示すように、フロアパネル６０の上面に１つのサーバーラック２００を設置する場合に、そのサーバーラック２００に連結される４枚のフロアパネル６０を示して説明する。
【０１２８】
本実施の形態に係るフロアパネル６０は、図２５〜２８に示すように、レール部材３０，３１，３２とナット部材２７の他に、連結部材６４も備える点において、前記第１の実施の形態に係るフロアパネル２０と異なるものである。その他の構成は、前記第１の実施の形態に係るフロアパネル２０と同様である。
【０１２９】
図２６〜２８に示すように、フロアパネル６０においては、パネル本体部２１の平板部２１ａ（図３０参照）の上面に固定されたレール部材３０，３１，３２の上面３０ｆ，３１ｆ，３２ｆ（図７〜９参照）に連結部材６４が配置されている。
【０１３０】
連結部材６４は、図３３に示すように、略長方形の上面６４ａを有する板状に形成された天板部６４ｂと、この天板部６４ｂの四辺より略垂直下方に折曲げられて形成された４つの側板部６４ｃ（図３６，３７参照）と、側板部６４ｃの下端部から連結部材６４の中央側に向かって略垂直に折り曲げられた折曲部６４ｇ（図３６，３７参照）を備えることにより略箱状（図３５参照）に形成されている。
【０１３１】
また、図３３に示すように、連結部材６４には、天板部６４ｂの板厚方向（図３６中上下方向）に貫通すると共に、同図中上下方向に伸びる長孔状の開口形状を有する貫通孔６４ｄが２つ形成されている。
【０１３２】
また、連結部材６４は、図３６に示すように、貫通孔６４ｄの開口部を図中下側から覆うように、天板部６４ｂの下面６４ｉに接合されると共に、その長さ方向（図３７中左右方向）に垂直な断面形状が略Ｕ字型のレール部材６５を備えている。
【０１３３】
レール部材６５は、そのＵ字型の開口部側とは反対側の底板部６５ａと、底板部６５ａの幅方向（図３６中左右方向）の両端部からそれぞれ略垂直上方に折れ曲がって、図中上方に伸びる２つの側板部６５ｂにより形成されている。
【０１３４】
そして、レール部材６５の側板部６５ｂの同図中上端部が、天板部６４ｂの下面６４ｉに溶接等により接合されることにより、貫通孔６４ｄの開口部は、その長さ方向（図３３中上下方向）に渡って図３６中下側から覆われている。
【０１３５】
また、連結部材６４には、図３３に示すように、天板部６４ｂの板厚方向（図３７中上下方向）に貫通すると共に、同図中左右方向に伸びる長孔状の開口形状を有する貫通孔６４ｅが、同図中上下方向に所定の間隔を空けて４つ形成されている。
【０１３６】
また、図３７に示すように、天板部６４ｂにおける貫通孔６４ｅの周辺部分は、貫通孔６４ｅに近づくに従って高さが低くなるように、斜め下方に折り曲げられている。そのため、天板部６４ｂには、貫通孔６４ｅに近づくに従って高さが低くなるように、上面６４ａから同図中下側に向かって傾斜する傾斜面６４ｈが、図３３中左右方向に伸びる貫通孔６４ｅに沿うように形成されている。
【０１３７】
また、図３４に示すように、天板部６４ｂの下面６４ｉにおける、互いに隣り合う２つの貫通孔６４ｅの間には、その長さ方向に垂直な断面形状が略長方形状（図３７参照）の板状のリブ６４ｆが、貫通孔６４ｅの長さ方向に対して略平行になるように接合されている。
【０１３８】
そして、連結部材６４は、図３３中左右方向に長さを有する長孔状の４つの貫通孔６４ｅが、レール部材３０のレール部３０ａ（図７参照）内に配置された４つのナット部材２７（図３１参照）のメネジ孔２７ａ（図３０，３２参照）に連通するようにそれぞれ配置されている。
【０１３９】
そして、図３２に示すように、皿ボルト６９のオネジ部６９ｂの先端部が、連結部材６４の貫通孔６４ｅ、及びレール部材３０のレール部３０ａ（図７参照）の開口部を挿通して、ナット部材２７のメネジ孔２７ａにネジ締結されることにより、連結部材６４は、レール部材３０の長さ方向（図３２中左右方向）に沿って移動可能なナット部材２７に連結されている（図３０参照）。
【０１４０】
したがって、連結部材６４が上方に引張られた場合には、皿ボルト６９の頭部６９ａに、天板部６４ｂの傾斜面６４ｈ（図３２参照）が接触して係合すると共に、皿ボルト６９のオネジ部６９ｂがネジ締結されたナット部材２７は上方に引っ張られた場合でも、レール部材３０から抜け出すことがないように形成されているため、連結部材６４はレール部材３０から浮き上がって離れることがないようになっている。
【０１４１】
また、前述のように、連結部材６４の天板部６４ｂにおける貫通孔６４ｅ（図３７参照）の周辺部分は、貫通孔６４ｅに近づくに従って高さが低くなるように斜め下方に折り曲げられて、連結部材６４の天板部６４ｂには傾斜面６４ｈが形成されているため、図３２に示すように、皿ボルト６９の頭部６９ａは、その上面が天板部６４ｂの上面６４ａより上方に突出しないように配置されている。
【０１４２】
また、図３３に示すように、連結部材６４の貫通孔６４ｅは、レール部材３０の長さ方向に対して垂直方向（図２６参照）の長さを有するように長孔状に形成されているため、連結部材６４の図２６中上下方向の位置を貫通孔６４ｅの長さ方向に沿って移動させることができる。
【０１４３】
したがって、レール部材３０の長さ方向に沿って移動可能なナット部材２７に連結された連結部材６４は、レール部材３０の長さ方向に沿って移動することができると共に、レール部材３０の長さ方向に対して垂直の方向（連結部材６４の貫通孔６４ｅの長さ方向）に沿って移動することもできるようになっている。
【０１４４】
また、連結部材６４のレール部材６５（図３６参照）内には、図３８，３９に示すように、レール部材６５の長さ方向（図４０中左右方向）に沿って移動可能なナット部材４７が配置されている。
【０１４５】
図３９に示すように、ナット部材４７の径寸法は、レール部材６５の底板部６５ａの幅寸法（図３９中左右方向の長さ寸法）よりも小さく、連結部材６４の貫通孔６４ｄの開口幅の寸法（図３９中左右方向の長さ寸法）よりも大きく形成されている。
【０１４６】
そのため、ナット部材４７は、その図３９中上方への移動が天板部６４ｂの下面６４ｉに係合することにより制限され、ナット部材４７が図３９中上方に引っ張られた場合でも、貫通孔６４ｄの開口部を通って、ナット部材４７がレール部材６５から抜け出すことがないように形成されている。
【０１４７】
そして、図３９に示すように、連結部材６４の貫通孔６４ｄを通って挿入される固定ボルト２６のオネジ部２６ｂの先端部を、ナット部材４７のメネジ孔４７ａにネジ締結できるようになっている。
【０１４８】
固定ボルト２６にネジ締結されたナット部材４７は、図３９に示すように、その上面が天板部６４ｂの下面６４ｉ（図３６参照）に接触した状態でレール部材６５内に配置されている。
【０１４９】
図４２から図４５に示すように、フロアパネル６０の連結部材６４の上面６４ａ（図３３参照）には、サーバーラック２００が載置されている。また、サーバーラック２００の底面を形成する底板部２００ｂには、その板厚方向（図中上下方向）に貫通する貫通孔２００ｃが形成されている（図４５参照）。
【０１５０】
図４５に示すように、固定ボルト２６の頭部２６ａの下面が、サーバーラック２００の底板部２００ｂの上面に接触して係合すると共に、固定ボルト２６のオネジ部２６ｂの先端部が、サーバーラック２００の貫通孔２００ｃ、及び連結部材６４の貫通孔６４ｄ（図３６参照）を挿通して、ナット部材４７のメネジ孔４７ａにネジ締結している。
【０１５１】
このように、固定ボルト２６の頭部２６ａの下面が、サーバーラック２００の底板部２００ｂの上面に係合すると共に、固定ボルト２６のオネジ部２６ｂが、レール部材６５内から上方に抜け出さないように設けられたナット部材４７にネジ締結されているため、サーバーラック２００は、フロアパネル６０の連結部材６４の上面６４ａ（図３３参照）から上方に浮き上がって転倒することがないように、固定ボルト２６を介してフロアパネル６０に連結されている。
【０１５２】
また、天板部６４ｂは補強用のリブ６４ｆ（図３４参照）を備えているため、サーバーラック２００が連結部材６４の上面６４ａ（図３３参照）から上方に浮き上がって、天板部６４ｂが固定ボルト２６により上方に引張られた場合に、天板部６４ｂが破損しにくいようになっている。
【０１５３】
フロアパネル６０の連結部材６４に連結するサーバーラック２００の貫通孔２００ｃに対して、ナット部材４７の図４０中左右方向の位置が一致していない場合には、連結部材６４を、レール部材３０の長さ方向（図２６中左右方向）に沿って移動させることにより、サーバーラック２００の貫通孔２００ｃの位置に、ナット部材４７の位置を合わせることができる。
【０１５４】
また、フロアパネル６０の連結部材６４に連結するサーバーラック２００の貫通孔２００ｃに対して、ナット部材４７の図３８中左右方向の位置が一致していない場合には、図２６中上下方向に伸びる長孔状の貫通孔６４ｅの長さ方向に沿って連結部材６４を移動させることにより、サーバーラック２００の貫通孔２００ｃの位置に、ナット部材４７の位置を合わせることができる。
【０１５５】
また、図２６に示す４枚のフロアパネル６０においては、それぞれ同図中上から３列目のレール部材３０のレール部３０ａ（図７参照）内にのみナット部材２７（図２９，３０参照）が配置され、その他のレール部材３０，３１，３２内にはナット部材２７は配置されていない。
【０１５６】
そのため、フロアパネル６０に連結するサーバーラック２００の貫通孔２００ｃに対して、ナット部材４７の図３８中左右方向の位置が一致していない場合には、ナット部材２７が配置されていない他のレール部材３０，３１，３２内に４つのナット部材２７を移動させて、その４つのナット部材２７に連結部材６４を連結することにより、ナット部材４７の図３８中左右方向の位置を変更することができる。
【０１５７】
また、サーバーラック２００の幅方向の２つの隅部にそれぞれ形成された貫通孔２００ｃ（図４４中、右側と左側に示す２つの貫通孔２００ｃ）の位置に対して、２つのレール部材６５内（図４０参照）にそれぞれ配置されたナット部材４７の図４０中左右方向の位置を合わせる場合には、ナット部材４７をレール部材６５の長さ方向（図４０中左右方向）に沿って移動させることにより、サーバーラック２００の貫通孔２００ｃの位置に、ナット部材４７の位置を合わせることができる。
【０１５８】
したがって、例えば、サーバーラック２００の貫通孔２００ｃの図４４中左右方向の位置が、更に隅部寄り（図４４中左右方向外側）に形成されていた場合には、図４０に示す２つのナット部材４７が図中左右方向に互いに離れる方向に、それぞれのナット部材４７をレール部材６５の長さ方向に沿って移動させることにより、サーバーラック２００の貫通孔２００ｃの位置に、ナット部材４７の位置を合わせることができる。
【０１５９】
このように、サーバーラック２００のサイズ（幅と奥行き）が製品ごとに異なることにより、サーバーラック２００の貫通孔２００ｃの位置が製品ごとに異なっている場合でも、連結部材６４をレール部材３０，３１，３２の長さ方向に沿って移動させたり、連結部材６４を貫通孔６４ｅの長さ方向に沿って移動させたり、連結部材６４を連結するレール部材３０，３１，３２を別のレール部材に変更したり、ナット部材４７をレール部材６５の長さ方向に沿って移動させることにより、固定ボルト２６とネジ締結されるナット部材４７の水平方向の位置を、サーバーラック２００の貫通孔２００ｃの水平方向の位置に合わせることができる。
【０１６０】
サーバーラック２００とフロアパネル６０を連結する前は、フロアパネル６０から連結部材６４を取り外した状態にしておいて、サーバーラック２００とフロアパネル６０を連結する際に、連結部材６４をレール部材３０，３１，３２内に配置されたナット部材２７に連結するようにしている。
【０１６１】
また、前述のように、レール部材３０，３１，３２（図７〜９参照）には、レール部３０ａ，３１ａ，３２ａに加えて、平板部３０ｇ，３１ｇ，３２ｇがそれぞれ形成されており、平板部３０ｇ，３１ｇ，３２ｇの上面３０ｆ，３１ｆ，３２ｆは、互いに同じ高さになるように配置されている（図１０〜１２参照）。
【０１６２】
このように、フロアパネル６０から連結部材６４を取り外した状態においては、その上面に段差が形成されていないため、データセンター１内にサーバーラック２００等の機器を搬入する際に、例えば、サーバーラック２００のキャスターや、サーバーラック２００を運ぶ台車の車輪が、スムーズにその上面を通過することができる。
【０１６３】
したがって、本実施の形態に係るフロアパネル６０から連結部材６４を取り外した状態においては、データセンター１内に機器を搬入する際に、フロアパネル６０に固定されたレール部材３０，３１，３２が障害になることを防止することができる。
【０１６４】
このような本実施の形態に係るフロアパネル６０によっても、前記第１の実施の形態に係るフロアパネル２０と同様の効果を得ることができる。
【０１６５】
図４６から図５２は、本発明の第４の実施の形態に係るフロアパネル８０（二重床部材）について説明するために参照する図である。
【０１６６】
本実施の形態に係るフロアパネル８０は、図４６から４８に示すように、その上面８０ａ側に固定されたレール部材８１が、２本のガイドレール４（レール部）だけでなく、段差解消部材９０も備える点において、前記従来技術に係るフロアパネル３（図７０，７１参照）と異なるものである。その他の構成は、前記従来技術に係るフロアパネル３と同様である。
【０１６７】
段差解消部材９０は、鋼板等を用いて一体的に形成されており、図４９に示すように、図中右側及び図中左側に、その長さ方向（図４７中上下方向）に垂直な断面形状が凹状に形成された２つの凹部９０ｂを備えている。
【０１６８】
凹部９０ｂは、その開口部と反対側の図中左右方向に伸びる底板部９０ｃと、底板部９０ｃの図中左右方向の両端部からそれぞれ略垂直上方に折れ曲がって、図中上方に伸びる２つの垂直板部９０ｄから構成されている。
【０１６９】
また、凹部９０ｂの底板部９０ｃには、その板厚方向（図４９中上下方向）に貫通するように形成された貫通孔９０ｅ（図５０参照）が、段差解消部材９０の長さ方向（図４７中上下方向）に所定の間隔を空けて複数形成されている。
【０１７０】
また、段差解消部材９０は、図４９に示すように、図中右側の凹部９０ｂにおける、図中左側の垂直板部９０ｄの上端部と、図中左側の凹部９０ｂにおける、図中右側の垂直板部９０ｄの上端部との間を架け渡すように、図中左右方向に伸びる平板部９０ａを備えている。
【０１７１】
さらに、段差解消部材９０は、図４９に示すように、２つの凹部９０ｂにおける、図中左右方向の外側の垂直板部９０ｄの上端部から、それぞれ図中斜め下方に向かって傾斜するように折り曲げられた傾斜板部９０ｆを備えている。
【０１７２】
図中右側の傾斜板部９０ｆは、その下面が凹部９０ｂの底板部９０ｃの下面と略同じ高さになるまで図中右斜め下方に向かって傾斜するように形成され、図中左側の傾斜板部９０ｆは、その下面が凹部９０ｂの底板部９０ｃの下面と略同じ高さになるまで図中左斜め下方に向かって傾斜するように形成されている。
【０１７３】
図４８に示すように、ガイドレール４及び段差解消部材９０は、皿ボルト２９を用いてパネル本体部２１に固定されており、図５０に示すように、パネル本体部２１の平板部２１ａには、その板厚方向（図中上下方向）に貫通する貫通孔２１ｅが複数形成されている。
【０１７４】
また、図５０に示すように、パネル本体部２１の平板部２１ａの上面側には、塩化ビニル系のＰタイルや、ＨＰＬ（ハイプレッシャーラミネート）タイル等のタイル３６が貼り付けられており、タイル３６には、その板厚方向（図中上下方向）に貫通する貫通孔３６ａが、平板部２１ａの貫通孔２１ｅに連通するように形成されている。
【０１７５】
そして、図５０に示すように、段差解消部材９０は、タイル３６の上面に底板部９０ｃの下面、及び傾斜板部９０ｆの下面が接触（図４８参照）するように配置され、段差解消部材９０の２つの凹部９０ｂ（図４９参照）には、平板部９０ａ（図４９参照）の上面よりも上方に突出しないように、ガイドレール４がそれぞれ嵌入されている。
【０１７６】
図５０に示すように、凹部９０ｂに嵌入されたガイドレール４は、その開口側とは反対側の底板部４ａの下面が、凹部９０ｂの底板部９０ｃの上面に接触して、底板部４ａの図中左右方向の両端部から図中上方にそれぞれ伸びる側板部４ｂが、凹部９０ｂの垂直板部９０ｄに接触するように配置されている。
【０１７７】
また、図５０に示すように、ガイドレール４の底板部４ａには、その板厚方向に貫通すると共に、その開口面積が図中下側に向かうに従って小さくなるように、その内周面が傾斜して形成された貫通孔４ｃが、ガイドレール４の長さ方向（図４７中上下方向）に所定の間隔を空けて複数形成されている。
【０１７８】
そして、底板部４ａの貫通孔４ｃには、図５０に示すように、皿ボルト２９のオネジ部２９ｂが挿通すると共に、皿ボルト２９の頭部２９ａは、その上面が底板部４ａの上面より上方に突出しないように、底板部４ａの貫通孔４ｃ内に収納されている。
【０１７９】
また、図４８に示すように、パネル本体部２１の複数のリブ２１ｂの内、平板部２１ａの裏面側から床下方向（図中下側方向）に突出する長さ寸法が最も大きいリブ２１ｂの先端部に、その長さ方向に垂直な断面形状が逆Ｕ字状の板部材３５が、その開口部と反対側の上側板部３５ａが接触するように配置されている。
【０１８０】
板部材３５は、その長さ方向に垂直な断面形状が逆Ｕ字状（図４８参照）に形成されているため、平板状に形成されている場合に比べて、上側板部３５ａが上方に引張られた場合の強度が向上されている。
【０１８１】
また、板部材３５は、ガイドレール４と略同じ長さ寸法を有するように形成されると共に、ガイドレール４の鉛直方向下側において、ガイドレール４の長さ方向（図４７中上下方向）に沿うように配置されている。
【０１８２】
また、板部材３５の上側板部３５ａには、図４８に示すように、ガイドレール４の底板部４ａの貫通孔４ｃ（図５０参照）に対応する位置に、その板厚方向（図４８中上下方向）に貫通するメネジ孔３５ｂ（図５１参照）が形成されている。
【０１８３】
そして、図５０に示すように、ガイドレール４の底板部４ａの貫通孔４ｃ、段差解消部材９０の貫通孔９０ｅ、タイル３６の貫通孔３６ａ、及び平板部２１ａの貫通孔２１ｅを挿通して、図中下方に突出している皿ボルト２９のオネジ部２９ｂの先端部が、板部材３５のメネジ孔３５ｂ（図４８参照）にネジ締結されている。
【０１８４】
したがって、ガイドレール４が上方に浮き上がろうとした場合には、ガイドレール４の底板部４ａの貫通孔４ｃの傾斜した内周面が、皿ボルト２９の頭部２９ａの下面に係合すると共に、皿ボルト２９のオネジ部２９ｂの先端部にネジ締結された板部材３５の上側板部３５ａ（図４８参照）の上面が、パネル本体部２１のリブ２１ｂの下面に係合するようになっている。このため、ガイドレール４は、上方に浮き上がることがないようにパネル本体部２１に固定されている。
【０１８５】
また、図５０に示すように、段差解消部材９０は、その底板部９０ｃがガイドレール４の底板部４ａと、タイル３６に挟まれるように配置されているため、段差解消部材９０が上方に浮き上がろうとした場合には、底板部９０ｃがガイドレール４の底板部４ａに係合するようになっている。このため、段差解消部材９０も、上方に浮き上がることがないようにパネル本体部２１に固定されている。
【０１８６】
本実施の形態に係るフロアパネル８０においては、図４８に示すように、段差解消部材９０の傾斜板部９０ｆが、タイル３６の上面（フロアパネル８０の上面８０ａ）と、ガイドレール４との間の段差を埋めて傾斜面にするように形成されている。
【０１８７】
このため、データセンター１（図６９参照）内にサーバーラック４００（図５１参照）等の機器を搬入する際に、例えば、サーバーラック４００のキャスターや、サーバーラック４００を運ぶ台車の車輪がスムーズにガイドレール４を乗り越えることができる。
【０１８８】
また、本実施の形態に係るフロアパネル８０においては、図４８に示すように、段差解消部材９０の平坦な上面を有する平板部９０ａが、２本のガイドレール４の間を架け渡すように形成されている。
【０１８９】
このため、データセンター１（図６９参照）内にサーバーラック４００（図５１参照）等の機器を搬入する際に、例えば、サーバーラック４００のキャスターや、サーバーラック４００を運ぶ台車の車輪がスムーズに２本のガイドレール４の間を通過することができるようになっている。
【０１９０】
また、本実施の形態に係るフロアパネル８０においては、図５２に示すように、ガイドレール４の上方に開口する開口部を埋めるように、その長さ方向（図４７中上下方向）に対する断面形状が略長方形の棒状部材９２が、ガイドレール４のレール内に嵌入されていてもよい。
【０１９１】
棒状部材９２は、ガイドレール４のレール内に嵌入された際に、ガイドレール４の開口部を略隙間なく埋められるような幅寸法（図５２中左右方向の長さ寸法）を有すると共に、その上面９２ａがガイドレール４の上面４ｄと略同じ高さになるような高さ寸法（図５２中上下方向の長さ寸法）を有するように形成されている。
【０１９２】
このように、ガイドレール４のレール内に棒状部材９２を嵌入することにより、データセンター１（図６９参照）内にサーバーラック４００（図５１参照）等の機器を搬入する際に、例えば、サーバーラック４００のキャスターや、サーバーラック４００を運ぶ台車の車輪が、ガイドレール４の開口部に嵌ってガタつくことを防止することができる。
【０１９３】
したがって、本実施の形態に係るフロアパネル８０を用いれば、データセンター１内に機器を搬入する際に、フロアパネル８０に固定されたガイドレール４が障害になることを防止することができる。
【０１９４】
ところで、図５１に示すように、フロアパネル８０の上面８０ａにサーバーラック４００を載置して、ガイドレール４を使用する際には、前記従来技術に係るフロアパネル３と同様に、ナット部材７（図７１参照）をガイドレール４のレール内に配置して、サーバーラック４００とフロアパネル８０を、固定ボルト２６を介して連結している。
【０１９５】
すなわち、図５１に示すように、固定ボルト２６の頭部２６ａの下面が、サーバーラック４００の底板部４００ｂの上面に接触して係合すると共に、固定ボルト２６のオネジ部２６ｂの先端部が、サーバーラック４００の貫通孔４００ｃ、及びガイドレール４の開口部を挿通して、ナット部材７（連結部材）に形成されたメネジ孔７ａにネジ締結している。
【０１９６】
このように、固定ボルト２６の頭部２６ａの下面が、サーバーラック４００の底板部４００ｂの上面に係合すると共に、固定ボルト２６のオネジ部２６ｂが、ガイドレール４内から上方に抜け出さないように設けられたナット部材７にネジ締結されているため、サーバーラック４００は、フロアパネル８０の上面８０ａから上方に浮き上がって転倒することがないように、固定ボルト２６を介してフロアパネル８０に連結されている。
【０１９７】
このような本実施の形態に係るフロアパネル８０によっても、前記第１の実施の形態に係るフロアパネル２０と同様の効果を得ることができる。
【０１９８】
図５３から図５７は、本発明の第５の実施の形態に係るフロアパネル１００（二重床部材）について説明するために参照する図である。
【０１９９】
前記第４の実施の形態に係るフロアパネル８０においては、その上面８０ａ側に固定されたレール部材８１が、ガイドレール４と段差解消部材９０（図４６から図４８参照）を備えていた。
【０２００】
一方、本実施の形態に係るフロアパネル１００においては、その上面１００ａ側に固定されたレール部材１０１は、ガイドレール４と段差解消部材１１０（図５３から図５５参照）を備えている。その他の構成は、前記第４の実施の形態に係るフロアパネル８０と同様である。
【０２０１】
段差解消部材１１０は、鋼板等を用いて一体的に形成されており、図５５に示すように、同図中右側のガイドレール４と、同図中左側のガイドレール４のそれぞれに対して設けられている。
【０２０２】
段差解消部材１１０は、図５６に示すように、図中左右方向に伸びるように形成された底板部１１０ａと、底板部１１０ａの図中左右方向の両端部からそれぞれ略垂直上方に折れ曲がって、図中上方に伸びる２つの垂直板部１１０ｂと、２つの垂直板部１１０ｂの上端部から、図中斜め下方に向かって傾斜するようにそれぞれ折り曲げられた２つの傾斜板部１１０ｃから構成されている。
【０２０３】
図中右側の傾斜板部１１０ｃは、底板部１１０ａの下面と略同じ高さになるまで図中右斜め下方に向かって傾斜するように形成され、図中左側の傾斜板部１１０ｃは、その下面が底板部１１０ａの下面と略同じ高さになるまで図中左斜め下方に向かって傾斜するように形成されている。
【０２０４】
また、段差解消部材１１０の底板部１１０ａには、その板厚方向（図５６中上下方向）に貫通するように形成された貫通孔１１０ｄ（図５７参照）が、段差解消部材１１０の長さ方向（図５４中上下方向）に所定の間隔を空けて複数形成されている。
【０２０５】
このように、段差解消部材１１０における、図５６中左右方向の中央部には、底板部１１０ａと２つの垂直板部１１０ｂにより、その長さ方向（図５４中上下方向）に垂直な断面形状が凹状の凹部１１０ｅが形成されている。
【０２０６】
そして、図５７に示すように、段差解消部材１１０は、タイル３６の上面に底板部１１０ａの下面、及び傾斜板部１１０ｃの下面が接触（図５５参照）するように配置され、凹部１１０ｅに、垂直板部１１０ｂの上端部よりも上方に突出しないようにガイドレール４（レール部）が嵌入されている。
【０２０７】
図５７に示すように、凹部１１０ｅに嵌入されたガイドレール４は、その開口側とは反対側の底板部４ａの下面が、凹部１１０ｅの底板部１１０ａの上面に接触して、底板部４ａの図中左右方向の両端部から上方にそれぞれ伸びる側板部４ｂが、凹部１１０ｅの垂直板部１１０ｂに接触するように配置されている。
【０２０８】
そして、図５７に示すように、ガイドレール４の底板部４ａの貫通孔４ｃ、段差解消部材１１０の貫通孔１１０ｄ、タイル３６の貫通孔３６ａ、及び平板部２１ａの貫通孔２１ｅを挿通して、図中下方に突出している皿ボルト２９のオネジ部２９ｂの先端部が、板部材３５のメネジ孔３５ｂ（図５５参照）にネジ締結されている。
【０２０９】
したがって、ガイドレール４が上方に浮き上がろうとした場合には、ガイドレール４の底板部４ａの貫通孔４ｃの傾斜した内周面が、皿ボルト２９の頭部２９ａの下面に係合すると共に、皿ボルト２９のオネジ部２９ｂの先端部にネジ締結された板部材３５の上側板部３５ａ（図５５参照）の上面が、パネル本体部２１のリブ２１ｂの下面に係合するようになっている。このため、ガイドレール４は、上方に浮き上がることがないようにパネル本体部２１に固定されている。
【０２１０】
また、図５７に示すように、段差解消部材１１０は、その底板部１１０ａがガイドレール４の底板部４ａと、タイル３６に挟まれるように配置されているため、段差解消部材１１０が上方に浮き上がろうとした場合には、底板部１１０ａがガイドレール４の底板部４ａに係合するようになっている。このため、段差解消部材１１０も、上方に浮き上がることがないようにパネル本体部２１に固定されている。
【０２１１】
本実施の形態に係るフロアパネル１００においては、図５５に示すように、段差解消部材１１０の傾斜板部１１０ｃが、タイル３６の上面（フロアパネル１００の上面１００ａ）と、ガイドレール４との間の段差を埋めて傾斜面にするように形成されている。
【０２１２】
このため、データセンター１（図６９参照）内にサーバーラック４００（図５１参照）等の機器を搬入する際に、例えば、サーバーラック４００のキャスターや、サーバーラック４００を運ぶ台車の車輪がスムーズにガイドレール４を乗り越えることができる。
【０２１３】
また、本実施の形態に係るフロアパネル１００においては、前記第４の実施の形態に係るフロアパネル８０と同様に、ガイドレール４の上方に開口する開口部を埋めるように、その長さ方向（図５４中上下方向）に対する断面形状が略長方形の棒状部材９２（図５２参照）が、ガイドレール４のレール内に嵌入されていてもよい。
【０２１４】
このように、ガイドレール４のレール内に棒状部材９２を嵌入することにより、データセンター１（図６９参照）内にサーバーラック４００（図５１参照）等の機器を搬入する際に、例えば、サーバーラック４００のキャスターや、サーバーラック４００を運ぶ台車の車輪が、ガイドレール４の開口部に嵌ってガタつくことを防止することができる。
【０２１５】
したがって、本実施の形態に係るフロアパネル１００を用いれば、データセンター１内に機器を搬入する際に、フロアパネル１００に固定されたガイドレール４が障害になることを防止することができる。
【０２１６】
ところで、フロアパネル１００の上面にサーバーラック４００（図５１参照）を載置して、ガイドレール４を使用する際には、前記第４の実施の形態に係るフロアパネル８０と同様（図５１参照）に、ナット部材７をガイドレール４のレール内に配置して、サーバーラック４００とフロアパネル１００を、固定ボルト２６を介して連結している。
【０２１７】
このような本実施の形態に係るフロアパネル１００によっても、前記第１の実施の形態に係るフロアパネル２０と同様の効果を得ることができる。
【０２１８】
図５８から図６２は、本発明の第６の実施の形態に係るフロアパネル１２０（二重床部材）について説明するために参照する図である。
【０２１９】
前記第５の実施の形態に係るフロアパネル１００においては、その上面１００ａ側に固定されたレール部材１０１が、ガイドレール４と段差解消部材１１０（図５３から図５５参照）を備えていた。
【０２２０】
一方。本実施の形態に係るフロアパネル１２０においては、その上面１２０ａ側に固定されたレール部材１２１が、ガイドレール４と段差解消部材１３０（図５８から図６０参照）を備えている。その他の構成は、前記第５の実施の形態に係るフロアパネル１００と同様である。
【０２２１】
段差解消部材１３０は、鋼板等を用いて一体的に形成されており、図６０に示すように、同図中右側のガイドレール４と、同図中左側のガイドレール４のそれぞれに対して設けられている。
【０２２２】
段差解消部材１３０は、図６１に示すように、図中左右方向に伸びるように形成された底板部１３０ａと、底板部１３０ａの図中左右方向の両端部からそれぞれ略垂直上方に折れ曲がって、図中上方に伸びる２つの垂直板部１３０ｂと、２つの垂直板部１３０ｂの上端部から、図中下方に向かって傾斜するようにそれぞれ折り曲げられた２つの傾斜板部１３０ｃを備えている。
【０２２３】
図中右側の傾斜板部１３０ｃは、底板部１３０ａの下面と略同じ高さになるまで図中右斜め下方に向かって傾斜するように形成され、図中左側の傾斜板部１３０ｃは、その下面が底板部１３０ａの下面と略同じ高さになるまで図中左斜め下方に向かって傾斜するように形成されている。
【０２２４】
また、段差解消部材１３０の底板部１３０ａには、その板厚方向（図６１中上下方向）に貫通するように形成された貫通孔１３０ｄ（図６２参照）が、段差解消部材１３０の長さ方向（図５９中上下方向）に所定の間隔を空けて複数形成されている。
【０２２５】
このように、段差解消部材１３０は、前記第５の実施の形態に係るフロアパネル１００の段差解消部材１１０と同じような形状を有しているが、傾斜板部１３０ｃ（図６１参照）の傾斜角度が、フロアパネル１００の段差解消部材１１０の傾斜板部１１０ｃ（図５６参照）の傾斜角度よりも大きくなっている点において異なっている。
【０２２６】
段差解消部材１３０における、図６１中左右方向の中央部には、底板部１３０ａと２つの垂直板部１３０ｂにより、その長さ方向（図５９中上下方向）に垂直な断面形状が凹状の凹部１３０ｅが形成されている。
【０２２７】
そして、図６２に示すように、段差解消部材１３０は、タイル３６の上面に底板部１３０ａの下面、及び傾斜板部１３０ｃの下面が接触（図６０参照）するように配置され、凹部１３０ｅに、垂直板部１３０ｂの上端部よりも上方に突出しないようにガイドレール４（レール部）が嵌入されている。
【０２２８】
図６２に示すように、凹部１３０ｅに嵌入されたガイドレール４は、その開口側とは反対側の底板部４ａの下面が、凹部１３０ｅの底板部１３０ａの上面に接触して、底板部４ａの図中左右方向の両端部から上方にそれぞれ伸びる側板部４ｂが、凹部１３０ｅの垂直板部１３０ｂに接触するように配置されている。
【０２２９】
そして、図６２に示すように、ガイドレール４の底板部４ａの貫通孔４ｃ、段差解消部材１３０の貫通孔１３０ｄ、タイル３６の貫通孔３６ａ、及び平板部２１ａの貫通孔２１ｅを挿通して、図中下方に突出している皿ボルト２９のオネジ部２９ｂの先端部が、板部材３５のメネジ孔３５ｂ（図６０参照）にネジ締結されている。
【０２３０】
したがって、ガイドレール４が上方に浮き上がろうとした場合には、ガイドレール４の底板部４ａの貫通孔４ｃの傾斜した内周面が、皿ボルト２９の頭部２９ａの下面に係合すると共に、皿ボルト２９のオネジ部２９ｂの先端部にネジ締結された板部材３５の上側板部３５ａ（図６０参照）の上面が、パネル本体部２１のリブ２１ｂの下面に係合するようになっている。このため、ガイドレール４は、上方に浮き上がることがないようにパネル本体部２１に固定されている。
【０２３１】
また、図６２に示すように、段差解消部材１３０は、その底板部１３０ａがガイドレール４の底板部４ａと、タイル３６に挟まれるように配置されているため、段差解消部材１３０が上方に浮き上がろうとした場合には、底板部１３０ａがガイドレール４の底板部４ａに係合するようになっている。このため、段差解消部材１３０も、上方に浮き上がることがないようにパネル本体部２１に固定されている。
【０２３２】
本実施の形態に係るフロアパネル１２０においては、図６０に示すように、段差解消部材１３０の傾斜板部１３０ｃが、タイル３６の上面（フロアパネル１２０の上面１２０ａ）と、ガイドレール４との間の段差を埋めて傾斜面にするように形成されている。
【０２３３】
このため、データセンター１（図６９参照）内にサーバーラック４００（図５１参照）等の機器を搬入する際に、例えば、サーバーラック４００のキャスターや、サーバーラック４００を運ぶ台車の車輪がスムーズにガイドレール４を乗り越えることができる。
【０２３４】
また、本実施の形態に係るフロアパネル１２０においては、前記第４の実施の形態に係るフロアパネル８０と同様に、ガイドレール４の上方に開口する開口部を埋めるように、その長さ方向（図５９中上下方向）に対する断面形状が略長方形の棒状部材９２（図５２参照）が、ガイドレール４のレール内に嵌入されていてもよい。
【０２３５】
このように、ガイドレール４のレール内に棒状部材９２を嵌入することにより、データセンター１（図６９参照）内にサーバーラック４００（図５１参照）等の機器を搬入する際に、例えば、サーバーラック４００のキャスターや、サーバーラック４００を運ぶ台車の車輪が、ガイドレール４の開口部に嵌ってガタつくことを防止することができる。
【０２３６】
したがって、本実施の形態に係るフロアパネル１２０を用いれば、データセンター１内に機器を搬入する際に、フロアパネル１２０に固定されたガイドレール４が障害になることを防止することができる。
【０２３７】
ところで、フロアパネル１２０の上面にサーバーラック４００（図５１参照）を載置して、ガイドレール４を使用する際には、前記第４の実施の形態に係るフロアパネル８０と同様（図５１参照）に、ナット部材７をガイドレール４のレール内に配置して、サーバーラック４００とフロアパネル１２０を、固定ボルト２６を介して連結している。
【０２３８】
このような本実施の形態に係るフロアパネル１２０によっても、前記第１の実施の形態に係るフロアパネル２０と同様の効果を得ることができる。
【０２３９】
図６３から図６８は、本発明の第７の実施の形態に係るフロアパネル１４０（二重床部材）について説明するために参照する図である。
【０２４０】
前記第６の実施の形態に係るフロアパネル１２０においては、その上面１２０ａ側に固定されたレール部材１２１が、ガイドレール４と段差解消部材１３０（図５８から図６０参照）を備えていた。
【０２４１】
一方、本実施の形態に係るフロアパネル１４０においては、その上面１４０ａ側に、前記第６の実施の形態に係るフロアパネル１２０のガイドレール４と段差解消部材１３０が一体的に形成されたようなレール部材１５０（図６５，図６６参照）が固定されている。その他の構成は、前記第６の実施の形態に係るフロアパネル１２０と同様である。
【０２４２】
図６６に示すように、レール部材１５０には、その長さ方向（図６４中左右方向）に対して垂直な断面形状がＣ字型のレール部１５０ａが、そのＣ字型の開口部が図中上方に開口するように形成されている（図６８参照）。
【０２４３】
レール部１５０ａは、その開口部と反対側の底板部１５０ｂと、底板部１５０ｂの幅方向（図６６中左右方向）の両端部からそれぞれ略垂直上方に折れ曲がって、図中上方に伸びる２つの垂直板部１５０ｄと、２つの垂直板部１５０ｄの図中上端部から、それぞれ図中左右方向の中央部側に略垂直に折れ曲がって、図中左右方向に伸びる２つの上側板部１５０ｃから構成されている。
【０２４４】
また、レール部材１５０には、図７中左右方向に水平に伸びる２つの上側板部１５０ｃにおける、垂直板部１５０ｄ側と反対側の端部から、図６６中上側に略Ｕ字状に折れ曲がるＵ字状部１５０ｅがそれぞれ形成されている。
【０２４５】
また、レール部材１５０には、２つのＵ字状部１５０ｅにおける、上側板部１５０ｃ側と反対側の端部から、それぞれ図６６中左右方向の外側に向かって水平に伸びる平板部１５０ｇが形成されている。
【０２４６】
また、レール部材１５０には、図６６中左右方向に水平に伸びる２つの平板部１５０ｇにおける、Ｕ字状部１５０ｅ側とは反対側の端部から、図６６中斜め下方に折れ曲がって、その下端部がレール部１５０ａの底板部１５０ｂの下面と略同じ高さになるように、図６６中斜め下方向に伸びる傾斜部１５０ｈがそれぞれ形成されている。
【０２４７】
また、レール部１５０ａの底板部１５０ｂには、その板厚方向（図６６中上下方向）に貫通するように形成された貫通孔１５０ｉ（図６８参照）が、レール部材１５０の長さ方向（図６４中左右方向）に所定の間隔を空けて複数形成されている。
【０２４８】
そして、図６８に示すように、レール部材１５０は、タイル３６の上面に底板部１５０ｂの下面、及び傾斜板部１５０ｈの下端部が接触（図６７参照）するように配置され、レール部１５０ａの底板部１５０ｂの上面には、長板状の板部材１５１が配置されている。
【０２４９】
板部材１５１には、その板厚方向（図６８中上下方向）に貫通すると共に、その開口面積が図６８中下側に向かうに従って小さくなるように、その内周面が傾斜して形成された貫通孔１５１ａが、板部材１５１の長さ方向（図６４中左右方向）に所定の間隔を空けて複数形成されている。
【０２５０】
そして、図６８に示すように、板部材１５１の貫通孔１５１ａ、レール部１５０ａの底板部１５０ｂの貫通孔１５０ｉ、タイル３６の貫通孔３６ａ、及び平板部２１ａの貫通孔２１ｅを挿通して、図中下方に突出している皿ボルト２９のオネジ部２９ｂの先端部が、板部材３５のメネジ孔３５ｂ（図６７参照）にネジ締結されている。
【０２５１】
したがって、板部材１５１が上方に浮き上がろうとした場合には、板部材１５１の貫通孔１５１ａの傾斜した内周面が、皿ボルト２９の頭部２９ａの下面に係合すると共に、皿ボルト２９のオネジ部２９ｂの先端部にネジ締結された板部材３５の上側板部３５ａ（図６７参照）の上面が、パネル本体部２１のリブ２１ｂの下面に係合するようになっている。このため、板部材１５１は、上方に浮き上がることがないようにパネル本体部２１に固定されている。
【０２５２】
また、図６８に示すように、レール部材１５０は、その底板部１５０ｂが板部材１５１とタイル３６に挟まれるように配置されているため、レール部材１５０が上方に浮き上がろうとした場合には、底板部１５０ｂが板部材１５１に係合するようになっている。このため、レール部材１５０も、上方に浮き上がることがないようにパネル本体部２１に固定されている。
【０２５３】
本実施の形態に係るフロアパネル１４０においては、図６７に示すように、レール部材１５０の傾斜板部１５０ｈが、タイル３６の上面（フロアパネル１４０の上面１４０ａ）と、レール部１５０ａとの間の段差を埋めて傾斜面にするように形成されている。
【０２５４】
このため、データセンター１（図６９参照）内にサーバーラック４００（図５１参照）等の機器を搬入する際に、例えば、サーバーラック４００のキャスターや、サーバーラック４００を運ぶ台車の車輪がスムーズにレール部材１５０を乗り越えることができる。
【０２５５】
また、本実施の形態に係るフロアパネル１４０においては、前記第４の実施の形態に係るフロアパネル８０と同様に、レール部材１５０のレール部１５０ａの上方に開口する開口部を埋めるように、その長さ方向（図６４中左右方向）に対する断面形状が略長方形の棒状部材９２（図５２参照）が、レール部１５０ａのレール内に嵌入されていてもよい。
【０２５６】
このように、レール部１５０ａのレール内に棒状部材９２を嵌入することにより、データセンター１（図６９参照）内にサーバーラック４００（図５１参照）等の機器を搬入する際に、例えば、サーバーラック４００のキャスターや、サーバーラック４００を運ぶ台車の車輪が、レール部１５０ａの開口部に嵌ってガタつくことを防止することができる。
【０２５７】
したがって、本実施の形態に係るフロアパネル１４０を用いれば、データセンター１内に機器を搬入する際に、フロアパネル１４０に固定されたレール部材１５０が障害になることを防止することができる。
【０２５８】
ところで、フロアパネル１４０の上面にサーバーラック４００（図５１参照）を載置して、レール部材１５０を使用する際には、前記第４の実施の形態に係るフロアパネル８０と同様（図５１参照）に、ナット部材７をレール部１５０ａ内の板部材１５１（図６８参照）の上面に配置して、サーバーラック４００とフロアパネル１４０を、固定ボルト２６を介して連結している。
【０２５９】
このような本実施の形態に係るフロアパネル１４０によっても、前記第１の実施の形態に係るフロアパネル２０と同様の効果を得ることができる。
【０２６０】
なお、本発明は、前記第１から第７の実施の形態にのみ限定されるものではなく、本発明の目的を達成することができる範囲内であれば、フロアパネルの種々の変更が可能である。
【０２６１】
例えば、前記第１〜第３の実施の形態に係るフロアパネル２０，４０，６０においては、レール部材３０，３１，３２を合計５つ用いてそれぞれ形成されていたが、５つに限定される必要はなく、５個より多くても、或いは少なくてもよい。
【０２６２】
また、前記第１〜第７の実施の形態に係るフロアパネル２０，４０，６０，８０，１００，１２０，１４０においては、固定ボルト２６とナット部材２７、４７，７をネジ締結することにより、サーバーラック２００，４００をフロアパネル２０，４０，６０，８０，１００，１２０，１４０に固定していたが、このような固定（連結）方法に限定される必要はなく、固定ボルト２６以外の固定部材を用いた他の固定方法を用いてもよい。
【０２６３】
また、前記第１〜第７の実施の形態に係るフロアパネル２０，４０，６０，８０，１００，１２０，１４０においては、サーバーラック２００，４００をフロアパネル２０，４０，６０，８０，１００，１２０，１４０に固定していたが、サーバーラックに限定される必要はなく、他の機器であってもよい。
【０２６４】
また、前記第１〜第７の実施の形態に係るフロアパネル２０，４０，６０，８０，１００，１２０，１４０においては、レール部材３０，３１，３２，１５０、ガイドレール４，４４、連結部材６４，及び段差解消部材９０，１１０，１３０が、その材質にアルミニウム合金を用いたダイカスト製品のパネル本体部２１に固定されていたが、パネル本体部２１に限定する必要はなく、他の種類のパネル本体部に固定されていてもよい。
【０２６５】
また、前記第１〜第７の実施の形態に係るフロアパネル２０，４０，６０，８０，１００，１２０，１４０においては、レール部材３０，３１，３２，１５０、ガイドレール４，４４，連結部材６４，及び段差解消部材９０，１１０，１３０は、パネル本体部２１上に配置されていたが、架台（二重床部材）上に配置されていてもよい。
【０２６６】
また、前記第３の実施の形態に係るフロアパネル６０においては、図２６に示すように、レール部材３０に連結された連結部材６４の貫通孔６４ｅは、レール部材３０の長さ方向に対して垂直に伸びるように長孔状（図３３参照）に形成されていたが、このような構成に限定される必要はない。
【０２６７】
したがって、連結部材６４の貫通孔６４ｅは、レール部材３０の長さ方向（図２６中左右方向）、及びレール部材３０の長さ方向に対して垂直の方向（図２６中上下方向）とは異なる方向に伸びるように長孔状に形成されていてもよい。
【０２６８】
また、前記第３の実施の形態に係るフロアパネル６０においては、図２６に示すように、レール部材３０に連結された連結部材６４の貫通孔６４ｅは、レール部材３０の長さ方向に対して垂直に伸びるように長孔状に形成されていたが、レール部材３０の長さ方向に対して垂直方向に所定の間隔を空けて並ぶ複数の丸孔状の貫通孔が形成されていてもよい。
【０２６９】
また、前記第２の実施の形態に係るフロアパネル４０においては、図１６〜１８に示すように、レール部材３０，３１，３２、ナット部材２７の他に、ガイドレール４４と、ガイドレール４４内に配置されるナット部材４７も備えるように構成されていたが、このような構成に限定される必要はない。
【０２７０】
したがって、前記第２の実施の形態に係るフロアパネル４０が、レール部材３０，３１，３２の代わりに、前記第４から第６の実施の形態に係るフロアパネル８０，１００，１２０のガイドレール４、及び、段差解消部材９０，１１０，１３０を備え、ガイドレール４内にナット部材２７が上方に抜け出すことがないように配置されていてもよい。
【０２７１】
さらに、前記第２の実施の形態に係るフロアパネル４０が、レール部材３０，３１，３２の代わりに、前記第７の実施の形態に係るフロアパネル１４０のレール部材１５０を備え、レール部１５０ａ（図６６参照）内にナット部材２７が上方に抜け出すことがないように配置されていてもよい。
【０２７２】
また、前記第３の実施の形態に係るフロアパネル６０においては、図２５〜２８に示すように、レール部材３０，３１，３２とナット部材２７の他に、連結部材６４も備えるように構成されていたが、このような構成に限定される必要はない。
【０２７３】
したがって、前記第３の実施の形態に係るフロアパネル６０が、レール部材３０，３１，３２の代わりに、前記第４から第６の実施の形態に係るフロアパネル８０，１００，１２０のガイドレール４、及び、段差解消部材９０，１１０，１３０を備え、ガイドレール４内にナット部材２７が上方に抜け出すことがないように配置されていてもよい。
【０２７４】
さらに、前記第３の実施の形態に係るフロアパネル６０が、レール部材３０，３１，３２の代わりに、前記第７の実施の形態に係るフロアパネル１４０のレール部材１５０を備え、レール部１５０ａ（図６６参照）内にナット部材２７が上方に抜け出すことがないように配置されていてもよい。
【０２７５】
また、前記第１の実施の形態に係るフロアパネル２０において、データセンター１（図６９参照）内にサーバーラック２００（図１３参照）等の機器を搬入する際に、レール部材３０，３１，３２のレール部３０ａ，３１ａ，３２ａの上方に開口する開口部を埋めるように、その長さ方向（図２中左右方向）に対する断面形状が略長方形の棒状部材９２（図５２参照）が、レール部３０ａ，３１ａ，３２ａ（図７〜９参照）内に嵌入されていてもよい。
【符号の説明】
【０２７６】
１  データセンター
３  フロアパネル
３ａ  上面
４  ガイドレール
４ａ  底板部
４ｂ  側板部
４ｃ  貫通孔
４ｄ  上面
５  基礎床面
６  固定ボルト
６ａ  頭部
６ｂ  オネジ部
７  ナット部材
７ａ  メネジ孔
８  支持脚
１０  サーバーラック
１０ａ  脚部
１０ｂ  底板部
１０ｃ  貫通孔
１２  フリーアクセスフロア
２０  フロアパネル
２１  パネル本体部
２１ａ  平板部
２１ｂ  リブ
２１ｃ  貫通孔
２１ｄ  貫通孔
２１ｅ  貫通孔
２５  板部材
２５ｂ  メネジ孔
２５ｃ  メネジ孔
２６  固定ボルト
２６ａ  頭部
２６ｂ  オネジ部
２７  ナット部材
２７ａ  メネジ孔
２７ｂ  下側板部
２７ｃ  突出部
２９  皿ボルト
２９ａ  頭部
２９ｂ  オネジ部
３０  レール部材
３０ａ  レール部
３０ｂ  底板部
３０ｃ  上側板部
３０ｄ  垂直板部
３０ｅ  Ｕ字状部
３０ｆ  上面
３０ｇ  平板部
３０ｈ  折曲部
３０ｉ  段差板部
３０ｊ  側板部
３０ｌ  貫通孔
３０ｍ  貫通孔
３１  レール部材
３１ａ  レール部
３１ｂ  底板部
３１ｃ  上側板部
３１ｄ  垂直板部
３１ｅ  Ｕ字状部
３１ｆ  上面
３１ｇ  平板部
３１ｊ  側板部
３１ｌ  貫通孔
３１ｍ  貫通孔
３２  レール部材
３２ａ  レール部
３２ｂ  底板部
３２ｃ  上側板部
３２ｄ  垂直板部
３２ｅ  Ｕ字状部
３２ｆ  上面
３２ｇ  平板部
３２ｈ  折曲部
３２ｉ  段差板部
３２ｊ  側板部
３２ｋ  側板部
３２ｌ  貫通孔
３２ｍ  貫通孔
３５  板部材
３５ａ  上側板部
３５ｂ  メネジ孔
３６  タイル
３６ａ  貫通孔
４０  フロアパネル
４４  ガイドレール
４４ａ  底板部
４４ｂ  貫通孔
４７  ナット部材
４７ａ  メネジ孔
４９  皿ボルト
４９ａ  頭部
４９ｂ  オネジ部
６０  フロアパネル
６４  連結部材
６４ａ  上面
６４ｂ  天板部
６４ｃ  側板部
６４ｄ  貫通孔
６４ｅ  貫通孔
６４ｆ  リブ
６４ｇ  折曲部
６４ｈ  傾斜面
６４ｉ  下面
６５  レール部材
６５ａ  底板部
６５ｂ  側板部
６９  皿ボルト
６９ａ  頭部
６９ｂ  オネジ部
８０  フロアパネル
８０ａ  上面
８１  レール部材
９０  段差解消部材
９０ａ  平板部
９０ｂ  凹部
９０ｃ  底板部
９０ｄ  垂直板部
９０ｅ  貫通孔
９０ｆ  傾斜板部
９２  棒状部材
９２ａ  上面
１００  フロアパネル
１００ａ  上面
１０１  レール部材
１１０  段差解消部材
１１０ａ  底板部
１１０ｂ  垂直板部
１１０ｃ  傾斜板部
１１０ｄ  貫通孔
１１０ｅ  凹部
１２０  フロアパネル
１２０ａ  上面
１２１  レール部材
１３０  段差解消部材
１３０ａ  底板部
１３０ｂ  垂直板部
１３０ｃ  傾斜板部
１３０ｄ  貫通孔
１３０ｅ  凹部
１４０  フロアパネル
１４０ａ  上面
１５０  レール部材
１５０ａ  レール部
１５０ｂ  底板部
１５０ｃ  上側板部
１５０ｄ  垂直板部
１５０ｅ  Ｕ字状部
１５０ｇ  平板部
１５０ｈ  傾斜板部
１５０ｉ  貫通孔
１５１  板部材
１５１ａ  貫通孔
２００  サーバーラック
２００ｂ  底板部
２００ｃ  貫通孔
４００  サーバーラック
４００ａ  脚部
４００ｂ  底板部
４００ｃ  貫通孔
【図１】
0006675861.tif 000002
【図２】
0006675861.tif 000003
【図３】
0006675861.tif 000004
【図４】
0006675861.tif 000005
【図５】
0006675861.tif 000006
【図６】
0006675861.tif 000007
【図７】
0006675861.tif 000008
【図８】
0006675861.tif 000009
【図９】
0006675861.tif 000010
【図１０】
0006675861.tif 000011
【図１１】
0006675861.tif 000012
【図１２】
0006675861.tif 000013
【図１３】
0006675861.tif 000014
【図１４】
0006675861.tif 000015
【図１５】
0006675861.tif 000016
【図１６】
0006675861.tif 000017
【図１７】
0006675861.tif 000018
【図１８】
0006675861.tif 000019
【図１９】
0006675861.tif 000020
【図２０】
0006675861.tif 000021
【図２１】
0006675861.tif 000022
【図２２】
0006675861.tif 000023
【図２３】
0006675861.tif 000024
【図２４】
0006675861.tif 000025
【図２５】
0006675861.tif 000026
【図２６】
0006675861.tif 000027
【図２７】
0006675861.tif 000028
【図２８】
0006675861.tif 000029
【図２９】
0006675861.tif 000030
【図３０】
0006675861.tif 000031
【図３１】
0006675861.tif 000032
【図３２】
0006675861.tif 000033
【図３３】
0006675861.tif 000034
【図３４】
0006675861.tif 000035
【図３５】
0006675861.tif 000036
【図３６】
0006675861.tif 000037
【図３７】
0006675861.tif 000038
【図３８】
0006675861.tif 000039
【図３９】
0006675861.tif 000040
【図４０】
0006675861.tif 000041
【図４１】
0006675861.tif 000042
【図４２】
0006675861.tif 000043
【図４３】
0006675861.tif 000044
【図４４】
0006675861.tif 000045
【図４５】
0006675861.tif 000046
【図４６】
0006675861.tif 000047
【図４７】
0006675861.tif 000048
【図４８】
0006675861.tif 000049
【図４９】
0006675861.tif 000050
【図５０】
0006675861.tif 000051
【図５１】
0006675861.tif 000052
【図５２】
0006675861.tif 000053
【図５３】
0006675861.tif 000054
【図５４】
0006675861.tif 000055
【図５５】
0006675861.tif 000056
【図５６】
0006675861.tif 000057
【図５７】
0006675861.tif 000058
【図５８】
0006675861.tif 000059
【図５９】
0006675861.tif 000060
【図６０】
0006675861.tif 000061
【図６１】
0006675861.tif 000062
【図６２】
0006675861.tif 000063
【図６３】
0006675861.tif 000064
【図６４】
0006675861.tif 000065
【図６５】
0006675861.tif 000066
【図６６】
0006675861.tif 000067
【図６７】
0006675861.tif 000068
【図６８】
0006675861.tif 000069
【図６９】
0006675861.tif 000070
【図７０】
0006675861.tif 000071
【図７１】
0006675861.tif 000072